(57)【要約】【課題】移動を行うことへの動機付けをユーザに与えること。【解決手段】本願に係る提供装置は、取得部と、配信部と、提供部とを備える。取得部は、ユーザが利用する端末装置から、ユーザに関する情報であるユーザ情報を取得する。配信部は、端末装置からアクセスを受け付けた場合に、ユーザ情報に基づいて決定されるコンテンツであって、ユーザの移動に応じてユーザに所定の特典が提供されるための条件が設定されたコンテンツを端末装置に配信する。提供部は、配信部によって配信されたコンテンツに設定された条件が達成された場合に、コンテンツに対応付けられた特典をユーザに提供する。【選択図】図１
2018063526.tif 000002
【特許請求の範囲】
【請求項１】
ユーザが利用する端末装置から、ユーザに関する情報であるユーザ情報を取得する取得部と、
前記端末装置からアクセスを受け付けた場合に、前記ユーザ情報に基づいて決定されるコンテンツであって、ユーザの移動に応じて当該ユーザに所定の特典が提供されるための条件が設定されたコンテンツを当該端末装置に配信する配信部と、
前記配信部によって配信されたコンテンツに設定された条件が達成された場合に、前記コンテンツに対応付けられた特典を前記ユーザに提供する提供部と、
を備えたことを特徴とする提供装置。
【請求項２】
前記配信部は、
予め設定された目的地と、当該目的地に到達するまでに前記ユーザが移動する移動距離とに関する条件が設定された前記コンテンツを配信する、
ことを特徴とする請求項１に記載の提供装置。
【請求項３】
前記配信部は、
予め設定された目的地と、当該目的地に到達するまでに前記ユーザが移動に費やす移動時間とに関する条件が設定された前記コンテンツを配信する、
ことを特徴とする請求項１又は２に記載の提供装置。
【請求項４】
前記配信部によって配信されたコンテンツに設定された条件を前記ユーザが達成したか否かを判定する判定部、
をさらに備え、
前記取得部は、
前記判定部が判定に用いる要素となる前記ユーザの移動に関する情報を取得し、
前記提供部は、
前記判定部によって前記条件が達成されたと判定された場合に、前記コンテンツに対応付けられた特典を前記ユーザに提供する、
ことを特徴とする請求項１〜３のいずれか一つに記載の提供装置。
【請求項５】
前記判定部は、
前記条件として設定された移動距離、位置情報、移動に費やす時間、移動完了時点の時間、又は移動が行われた経路の少なくともいずれか一つを判定要素として、当該条件を前記ユーザが達成したか否かを判定する、
ことを特徴とする請求項４に記載の提供装置。
【請求項６】
前記提供部は、
前記判定部によって判定された移動距離、位置情報、移動に費やす時間、移動完了時点の時間、又は移動が行われた経路の少なくともいずれか一つの要素に基づいて、前記ユーザに提供する特典の内容を変更する、
ことを特徴とする請求項５に記載の提供装置。
【請求項７】
前記配信部によって配信されたコンテンツに対応付けられた特典の提供を受けるための資格をユーザが得るためのエントリーを受け付ける受付部、
をさらに備え、
前記提供部は、
前記受付部によって受け付けられたエントリーに対応するコンテンツに設定された条件が達成された場合に、当該コンテンツに対応付けられた特典を前記ユーザに提供する、
ことを特徴とする請求項１〜６のいずれか一つに記載の提供装置。
【請求項８】
前記配信部は、
前記端末装置からアクセスを受け付けたウェブページを介して、前記コンテンツを当該端末装置に配信する、
ことを特徴とする請求項１〜７のいずれか一つに記載の提供装置。
【請求項９】
前記提供部は、
前記条件を達成したユーザもしくは当該ユーザが利用する端末装置に関する情報を前記コンテンツの提供主に提供する、
ことを特徴とする請求項１〜８のいずれか一つに記載の提供装置。
【請求項１０】
前記提供部は、
前記条件を達成したユーザもしくは当該ユーザが利用する端末装置に関する情報として、前記条件を達成したユーザの数、前記条件を達成するまでにユーザが移動した距離、前記条件を達成するまでにユーザが移動に費やした時間、又は、前記条件を達成するまでにユーザが移動した経路に関する情報の少なくとも一つを提供する、
ことを特徴とする請求項９に記載の提供装置。
【請求項１１】
前記提供部は、
前記条件を達成したユーザもしくは当該ユーザが利用する端末装置に関する情報として、前記条件を達成するための移動において当該ユーザが移動を開始した出発地、当該ユーザの居住地、又は、当該ユーザの生活圏に関する情報の少なくとも一つを提供する、
ことを特徴とする請求項９又は１０に記載の提供装置。
【請求項１２】
前記配信部は、
予め設定された複数の目的地に関する条件が設定された前記コンテンツを配信し、
前記提供部は、
前記条件に設定された複数の目的地に関する条件が達成された場合に、前記コンテンツに対応付けられた特典を前記ユーザに提供する、
ことを特徴とする請求項１〜１１のいずれか一つに記載の提供装置。
【請求項１３】
前記取得部は、
ユーザ情報として、前記ユーザのネットワーク上の購買履歴又は検索履歴を取得し、
前記配信部は、
前記ユーザのネットワーク上の購買履歴又は検索履歴に基づいて決定されるコンテンツを配信する、
ことを特徴とする請求項１〜１２のいずれか一つに記載の提供装置。
【請求項１４】
前記提供部は、
前記ユーザのネットワーク上の購買履歴又は検索履歴に基づいて、前記ユーザに提供する特典の内容を変更する、
ことを特徴とする請求項１３に記載の提供装置。
【請求項１５】
コンピュータが実行する提供方法であって、
ユーザが利用する端末装置から、当該ユーザに関する情報であるユーザ情報を取得する取得工程と、
前記端末装置からアクセスを受け付けた場合に、前記ユーザ情報に基づいて決定されるコンテンツであって、ユーザの移動に応じて当該ユーザに所定の特典が提供されるための条件が設定されたコンテンツを当該端末装置に配信する配信工程と、
前記配信工程によって配信されたコンテンツに設定された条件が達成された場合に、前記コンテンツに対応付けられた特典を前記ユーザに提供する提供工程と、
を含んだことを特徴とする提供方法。
【請求項１６】
ユーザが利用する端末装置から、当該ユーザに関する情報であるユーザ情報を取得する取得手順と、
前記端末装置からアクセスを受け付けた場合に、前記ユーザ情報に基づいて決定されるコンテンツであって、ユーザの移動に応じて当該ユーザに所定の特典が提供されるための条件が設定されたコンテンツを当該端末装置に配信する配信手順と、
前記配信手順によって配信されたコンテンツに設定された条件が達成された場合に、前記コンテンツに対応付けられた特典を前記ユーザに提供する提供手順と、
をコンピュータに実行させることを特徴とする提供プログラム。
【発明の詳細な説明】
【技術分野】
【０００１】
本発明は、提供装置、提供方法、及び提供プログラムに関する。
【背景技術】
【０００２】
近年、通信ネットワークの発達とともに、様々なサービスがネットワークを介して提供されている。ネットワークを介したサービスの一例として、ユーザの移動（位置情報）に応じて適切な広告を配信するサービスがある。
【０００３】
ユーザの移動に応じて広告を配信する技術として、例えば、予め設定された広告提供位置にユーザが移動した場合に広告を配信するとともに、ユーザの移動距離に応じてクレジットカードのポイントを付与する特典を与えることで、サービス提供者の集客力を向上させる移動体特典情報提供システムが知られている。
【先行技術文献】
【特許文献】
【０００４】
【特許文献１】特開２００２−５６２８３号公報
【発明の概要】
【発明が解決しようとする課題】
【０００５】
しかしながら、上記の従来技術では、移動を行うことへの動機付けをユーザに与えることができるとは限らない。例えば、上記の従来技術では、予め設定された広告提供位置とユーザの現在位置とが一致しなければ広告が配信されず、ユーザが広告を受信する機会を逸する場合がある。この場合、広告を提供する商業施設等にユーザが遠方から訪れようとする動機付けがなされないため、商業施設の集客力を向上させたり、既存の商業圏を拡大させたりすることは困難である。
【０００６】
本願は、上記に鑑みてなされたものであって、移動を行うことへの動機付けをユーザに与えることができる提供装置、提供方法、及び提供プログラムを提供することを目的とする。
【課題を解決するための手段】
【０００７】
本願に係る提供装置は、ユーザが利用する端末装置から、当該ユーザに関する情報であるユーザ情報を取得する取得部と、前記端末装置からアクセスを受け付けた場合に、前記ユーザ情報に基づいて決定されるコンテンツであって、ユーザの移動に応じて当該ユーザに所定の特典が提供されるための条件が設定されたコンテンツを当該端末装置に配信する配信部と、前記配信部によって配信されたコンテンツに設定された条件が達成された場合に、前記コンテンツに対応付けられた特典を前記ユーザに提供する提供部と、を備えたことを特徴とする。
【発明の効果】
【０００８】
実施形態の一態様によれば、移動を行うことへの動機付けをユーザに与えることができるという効果を奏する。
【図面の簡単な説明】
【０００９】
【図１】図１は、実施形態に係る提供処理の一例を示す図である。
【図２】図２は、実施形態に係る提供処理の一例を説明する図である。
【図３】図３は、実施形態に係る提供システムの構成例を示す図である。
【図４】図４は、実施形態に係るユーザ端末の構成例を示す図である。
【図５】図５は、実施形態に係る位置経路情報記憶部の一例を示す図である。
【図６】図６は、実施形態に係る提供装置の構成例を示す図である。
【図７】図７は、実施形態に係るユーザ情報記憶部の一例を示す図である。
【図８】図８は、実施形態に係るコンテンツ記憶部の一例を示す図である。
【図９】図９は、実施形態に係る移動情報記憶部の一例を示す図である。
【図１０】図１０は、実施形態に係るウェブサーバの構成例を示す図である。
【図１１】図１１は、実施形態に係る処理手順を示すフローチャート（１）である。
【図１２】図１２は、実施形態に係る処理手順を示すフローチャート（２）である。
【図１３】図１３は、変形例に係る提供処理の一例を説明する図（１）である。
【図１４】図１４は、変形例に係る提供処理の一例を説明する図（２）である。
【図１５】図１５は、提供装置の機能を実現するコンピュータの一例を示すハードウェア構成図である。
【発明を実施するための形態】
【００１０】
以下に、本願に係る提供装置、提供方法及び提供プログラムを実施するための形態（以下、「実施形態」と呼ぶ）について図面を参照しつつ詳細に説明する。なお、この実施形態により本願に係る提供装置、提供方法及び提供プログラムが限定されるものではない。また、各実施形態は、処理内容を矛盾させない範囲で適宜組み合わせることが可能である。また、以下の各実施形態において同一の部位には同一の符号を付し、重複する説明は省略される。
【００１１】
〔１．提供処理の一例〕
まず、図１を用いて、実施形態に係る提供処理の一例について説明する。図１は、実施形態に係る提供処理の一例を示す図である。図１では、提供装置１００によって、ユーザの移動に応じて当該ユーザに所定の特典を提供する処理が行われる一例を示す。
【００１２】
図１に示す提供装置１００は、情報処理端末からアクセスを受け付けた場合に、ユーザの移動に応じて当該ユーザに所定の特典が提供されるための条件が設定されたコンテンツを情報処理端末に配信するサーバ装置である。さらに、提供装置１００は、配信されたコンテンツに設定された条件がユーザから達成された場合には、コンテンツに対応付けられた特典をユーザに提供する処理を行う。なお、コンテンツの一例は、情報処理端末に表示される広告や宣伝などの通知である。また、特典の一例は、店舗等で現金の代わりに利用することができる所定のポイントの付与等である。
【００１３】
図１に示すユーザ端末１０は、ユーザＵ０１によって利用される情報処理端末である。例えば、ユーザ端末１０は、スマートフォンやタブレット端末等によって実現される。なお、以下の説明では、ユーザ端末１０をユーザＵ０１と言い換えて表記する場合がある。
【００１４】
ユーザ端末１０は、ユーザＵ０１の操作に従い、ネットワークを介して所定のサービスページにアクセスする。例えば、ユーザ端末１０は、所定のウェブサーバにアクセスし、ウェブページを表示する。ユーザ端末１０に表示されるウェブページには、例えば広告を表示する広告枠や、宣伝を通知するポップアップ表示等が含まれる。ユーザ端末１０は、このようなウェブページの広告表示領域等に提供装置１００から配信されるコンテンツを表示するものとする。
【００１５】
また、ユーザ端末１０は、例えばＧＰＳ（Global  Positioning  System）を利用して、自装置が存在する位置を示す情報である位置情報を取得可能である。そして、ユーザ端末１０は、例えば提供装置１００の要求に従い、取得した位置情報を提供装置１００に継続的に送信する。
【００１６】
図１の例において、ユーザ端末１０には、自装置の位置情報や移動の経路を示す経路情報などを取得可能なプログラムがインストールされているものとする。例えば、ユーザ端末１０には、カーナビゲーションシステム（Automotive  navigation  system）を実現するためのアプリ（以下、「カーナビアプリ」と表記する）がインストールされる。ユーザ端末１０は、カーナビアプリを起動した状態で、ユーザＵ０１の移動に伴って自装置が移動することにより、自装置の位置情報を継続的に取得する。また、ユーザ端末１０は、カーナビアプリが利用する地図情報と、取得した位置情報とを照らし合わせることにより、出発地から目的地までの経路情報を取得する。
【００１７】
また、図１の例において、ユーザＵ０１は、地図４０において、商業施設５０の周囲１５ｋｍ以内（図１の例では、「範囲５１」と表記する）の外側の範囲であって、商業施設５０の周囲５０ｋｍ以内（図１の例では、「範囲５２」と表記する）の範囲を生活圏とするユーザであるものとする。一般に、商業施設には、ターゲットとする商業圏が存在する。例えば、商業施設５０は、周囲１５ｋｍ以内に居住するユーザ群を顧客とする商業圏を有するものとする。この場合、商業施設５０は、周囲１５ｋｍ以内である範囲５１を生活圏とするユーザ群を顧客として確保できるものの、範囲５１の外側を生活圏とするユーザ群を施設に誘引させることは難しい。
【００１８】
そこで、実施形態に係る提供装置１００は、コンテンツの提供主（図１の例では、商業施設５０の運営企業等）の要望に従い、以下に説明するようなコンテンツを配信することで、ユーザＵ０１を商業施設５０に誘引する動機付けを与えるための処理を行う。
【００１９】
すなわち、提供装置１００は、ユーザＵ０１の移動に応じてユーザＵ０１に所定の特典が提供されるための条件が設定されたコンテンツをユーザ端末１０に配信する。例えば、提供装置１００は、ユーザＵ０１が所定距離以上の移動を伴って目的地に到着することが条件として設定されたコンテンツをユーザＵ０１に配信する。そして、コンテンツに設定された条件をユーザＵ０１が満たした場合、提供装置１００は、ユーザＵ０１に特典を提供する。これにより、提供装置１００は、範囲５２を生活圏とするユーザＵ０１に対して、範囲５２を超えて商業施設５０まで移動させる動機付けを与える。以下、提供装置１００が実行する提供処理について、図１を用いて、流れに沿って具体的に説明する。
【００２０】
まず、提供装置１００は、ユーザ端末１０にコンテンツを配信する（ステップＳ０１）。例えば、提供装置１００は、ユーザ端末１０がウェブページにアクセスしてコンテンツの表示機会を得た場合に、コンテンツを配信する。コンテンツの表示機会とは、例えば、ウェブページに含まれる広告枠等の表示領域に対するコンテンツの配信機会であったり、ウェブページのポップアップ表示であったり、ウェブページと連動したサービス（例えば、ウェブページ内の抽選プログラムによって当選したユーザのみが特定のコンテンツを受信するようなサービスなど）によって得られる表示機会であったり、ウェブページにおけるレコメンド表示であったり、ユーザＵ０１がカーナビアプリを起動させた際に表示される通知等である。
【００２１】
なお、提供装置１００は、例えばユーザ端末１０がコンテンツの表示機会を得た場合に、ユーザＵ０１又はユーザ端末１０に関する情報であるユーザ情報を取得する。ユーザ情報とは、例えば、ユーザＵ０１の属性情報等である。具体的には、ユーザ情報には、ユーザＵ０１の年齢や性別、居住地、ユーザＵ０１の現時点の位置情報等が含まれる。提供装置１００は、ユーザ端末１０がアクセスしたウェブページを提供するウェブサーバを介して、ユーザ情報を取得してもよい。そして、提供装置１００は、ユーザ情報に基づいて、ユーザＵ０１に適したコンテンツ（例えば、ユーザＵ０１の年齢や性別にターゲティングされたコンテンツや、ユーザＵ０１が現時点で所在する位置情報にターゲティングされたコンテンツ）を配信するものとする。
【００２２】
提供装置１００が配信するコンテンツには、所定の条件が設定される。例えば、条件には、予め設定された目的地と、当該目的地に到達するまでにユーザＵ０１が移動する移動距離とに関するものである。具体的には、「カーナビアプリを使って２０ｋｍ以上走行し、目的地である商業施設５０まで移動する」といった条件がコンテンツに設定される。また、コンテンツには、条件を達成した場合にユーザＵ０１が獲得できる特典に関する情報が記載される。具体的には、「条件を達成した場合には所定のポイントが付与される」旨の特典がコンテンツに記載される。
【００２３】
ユーザ端末１０は、コンテンツを受信し、画面に表示する。ユーザＵ０１は、コンテンツが画面に表示された場合、コンテンツに対応付けられた特典の提供を受けるための資格を得るためのエントリーを行うか否かを選択可能である。例えば、ユーザＵ０１は、画面に表示されたコンテンツを選択（クリックやタッチ操作）することにより、当該コンテンツに対してエントリーする旨を提供装置１００に送信する（ステップＳ０２）。
【００２４】
そして、ユーザＵ０１は、コンテンツに設定された条件を満たすための行動を開始する。例えば、ユーザＵ０１は、カーナビアプリを起動し、範囲５２から商業施設５０へ向かう移動を開始する。このとき、ユーザ端末１０は、カーナビアプリを介して、ユーザＵ０１の移動に関する情報を継続的に取得する。例えば、ユーザ端末１０は、自装置の位置情報や、範囲５２から商業施設５０に到達するまでに移動した経路情報等の移動に関する情報を取得する。ユーザ端末１０は、取得した移動に関する情報を提供装置１００に送信する（ステップＳ０３）。
【００２５】
提供装置１００は、ユーザ端末１０から送信される移動に関する情報を取得する。そして、提供装置１００は、取得した移動に関する情報が、コンテンツに設定された条件を満たしたか否かを判定する（ステップＳ０４）。例えば、提供装置１００は、ユーザＵ０１がエントリーした際の位置情報（すなわち、出発点）から２０ｋｍ以上の移動を行ったか否か、また、ユーザＵ０１が目的地である商業施設５０に到達したか否か等を判定する。
【００２６】
そして、提供装置１００は、ユーザＵ０１の移動が条件を満たしたと判定した場合、コンテンツに記載された特典をユーザＵ０１に提供する（ステップＳ０５）。このように、提供装置１００は、通常では商業施設５０の商業圏である範囲５１を訪れる動機のないユーザＵ０１に対して、移動距離と目的地を条件としたコンテンツを配信することで、ユーザＵ０１に商業施設５０までの移動を行う動機付けを与えることができる。
【００２７】
上記の処理について、図２を用いて、ユーザ端末１０に表示される画面を示し、より具体的に説明する。図２は、実施形態に係る提供処理の一例を説明する図である。図２では、ユーザ端末１０が、提供装置１００の配信したコンテンツ６０、コンテンツ６１、又はコンテンツ６２を表示する例を示している。
【００２８】
まず、ユーザ端末１０は、コンテンツの表示機会を得た場合に、提供装置１００から配信されるコンテンツ６０を受信する。そして、ユーザ端末１０は、画面にコンテンツ６０を表示する。
【００２９】
図２に示すように、コンテンツ６０には、「エントリー募集！」といったテキストと、「カーナビアプリを使って２０ｋｍ以上走ってＡＡＡショッピングモール（図１で示した商業施設５０に対応する）へ行こう！目的地に着いたらポイントがもらえるよ。」といったテキストと、エントリーする旨を示すためのボタン等が含まれる。
【００３０】
ユーザＵ０１は、指Ｆ１０で画面をタッチすることで、コンテンツ６０に対してエントリーする旨を提供装置１００に送信する（ステップＳ１１）。この場合、提供装置１００は、新たにコンテンツ６１をユーザ端末１０に配信する。例えば、コンテンツ６１には、「エントリー完了！」といったテキストと、「エントリーが完了しました！カーナビアプリを起動して移動してください。」といった、ユーザＵ０１の移動を促す内容のテキストが含まれる。
【００３１】
また、ユーザＵ０１のエントリーを受けて、提供装置１００は、コンテンツ６０に設定された条件とユーザＵ０１とを対応付ける。すなわち、提供装置１００は、ユーザＵ０１から継続的に送信される移動に関する情報が、コンテンツ６０に設定された条件を満たすか否かの判定処理を開始する。
【００３２】
ユーザ端末１０は、カーナビアプリを介して、ユーザＵ０１の移動に関する情報を継続的に送信する（ステップＳ１２）。そして、提供装置１００は、ユーザＵ０１から送信される移動に関する情報が、コンテンツ６０に設定された条件を満たしたか否かを判定する。
【００３３】
そして、提供装置１００は、ユーザＵ０１から送信される移動に関する情報がコンテンツ６０に設定された条件を満たしたと判定した場合に、コンテンツ６２をユーザ端末１０に配信する。例えば、コンテンツ６２には、「移動完了！」といったテキストと、「目的地に到着しました！おめでとうございます。ＡＡＡショッピングモールや他店舗で利用可能なポイントが１０００ポイント付与されました。」といった、ユーザＵ０１が提供される特典に関する内容を示したテキストが含まれる。
【００３４】
この場合、提供装置１００は、ユーザ端末１０にコンテンツ６２を配信するとともに、ユーザＵ０１に特典を提供する。例えば、提供装置１００は、ユーザＵ０１のユーザ情報のうち、ユーザＵ０１が保有するポイントに関する情報を参照する。そして、提供装置１００は、ユーザＵ０１が使用可能なポイントとして、特典としてユーザＵ０１が得たポイント数を加算する処理を行う。
【００３５】
このように、実施形態に係る提供装置１００は、ユーザＵ０１が利用するユーザ端末１０から、ユーザＵ０１に関する情報であるユーザ情報を取得する。そして、提供装置１００は、ユーザ端末１０からアクセスを受け付けた場合に、ユーザ情報に基づいて決定されるコンテンツであって、ユーザＵ０１の移動に応じてユーザＵ０１に所定の特典が提供されるための条件が設定されたコンテンツ（図２の例では、コンテンツ６０）をユーザ端末１０に配信する。さらに、提供装置１００は、配信されたコンテンツに設定された条件が達成された場合に、コンテンツに対応付けられた特典をユーザＵ０１に提供する。
【００３６】
これにより、提供装置１００は、ユーザＵ０１に移動に対する動機付けを与えることができる。例えば、提供装置１００は、目的地に到達するまでに所定の距離を走行することを条件としてユーザＵ０１に提示し、ユーザＵ０１が当該条件を満たした場合に特典を付与することで、ユーザＵ０１に移動の動機付けを与える。また、提供装置１００は、ユーザ端末１０が所定のサービスページ等にアクセスを行うことを契機としてコンテンツを配信する。これにより、提供装置１００は、例えばユーザＵ０１の現在位置や、ユーザＵ０１の性別や年齢、居住地等のユーザ情報に応じたコンテンツを配信することができるため、ユーザＵ０１の現状に対応したコンテンツの配信を行うことができる。このため、提供装置１００は、ユーザＵ０１の移動に対する動機付けを一層高めることができる。結果として、提供装置１００は、コンテンツの提供主（例えば、商業施設５０の運営企業等）が所望するような商業圏の拡大を行ったり、通常では行われない購買行動等を喚起することで経済を活性化させたりすることができる。
【００３７】
なお、図１又は図２の例において、提供装置１００は、ユーザ端末１０が検出した位置情報をユーザ端末１０から取得することを示した。しかし、提供装置１００は、ユーザ端末１０からの送信によらず、所定時間おきにユーザ端末１０をクロール（crawl）することにより、位置情報等の移動に関する情報を取得するようにしてもよい。また、提供装置１００は、カーナビアプリ以外のユーザ端末１０にインストールされたアプリ（例えば、ユーザＵ０１の現在位置とマップ情報とを表示する地図アプリ）を介して、位置情報を継続的に取得するようにしてもよい。
【００３８】
〔２．提供システムの構成〕
次に、図３を用いて、実施形態に係る提供装置１００が含まれる提供システム１の構成について説明する。図３は、実施形態に係る提供システム１の構成例を示す図である。図３に例示するように、実施形態に係る提供システム１には、ユーザ端末１０と、提供主端末２０と、ウェブサーバ３０と、提供装置１００とが含まれる。これらの各種装置は、ネットワークＮを介して、有線又は無線により通信可能に接続される。また、図３に示す提供システム１に含まれる各装置の数は図示したものに限られない。例えば、提供システム１には、複数台のユーザ端末１０が含まれてもよい。
【００３９】
ユーザ端末１０は、上述のように、スマートフォンを含む携帯電話機や、タブレット端末や、デスクトップ型ＰＣ（Personal  Computer）や、ノート型ＰＣや、ＰＤＡ（Personal  Digital  Assistant）等の情報処理端末である。また、ユーザ端末１０には、眼鏡型や時計型の情報処理端末であるウェアラブルデバイス（wearable  device）も含まれる。さらに、ユーザ端末１０には、位置情報を取得するための情報処理機能を有する種々のスマート機器が含まれてもよい。例えば、ユーザ端末１０には、ＴＶ（Television）や冷蔵庫、掃除機などのスマート家電や、自動車などのスマートビークル（Smart  vehicle）や、ドローン（drone）、家庭用ロボットなどが含まれてもよい。
【００４０】
ユーザ端末１０は、ユーザによる操作や、ユーザ端末１０が有する機能に応じて、自装置の位置情報を取得し、記憶する。例えば、ユーザ端末１０は、上述したＧＰＳなどの外部システムと通信を行うことによって位置情報を取得する。そして、ユーザ端末１０は、取得した位置情報や、位置情報に基づいて取得した経路情報等を提供装置１００に送信する。
【００４１】
提供主端末２０は、コンテンツの提供主によって利用される情報処理装置である。例えば、提供主端末２０は、デスクトップ型ＰＣや、ノート型ＰＣや、タブレット端末や、携帯電話機や、ＰＤＡ等である。提供主端末２０は、提供主による操作にしたがって、コンテンツを提供装置１００に入稿する。例えば、提供主端末２０は、コンテンツとして、静止画像や、動画像や、テキストデータや、コンテンツに対応するデータ（例えば、コンテンツにリンクされたサービスページを取得するためのＵＲＬ（Uniform  Resource  Locator））等を提供装置１００に入稿する。なお、コンテンツに設定される条件や特典は、後述するように、提供主によって設定されてもよいし、提供装置１００によって設定されてもよい。
【００４２】
また、提供主は、コンテンツの入稿を代理店に依頼する場合がある。この場合、提供装置１００にコンテンツを入稿するのは代理店となる。すなわち、「提供主」といった表記は、提供主だけでなく代理店を含む概念であり、「提供主端末」といった表記は、提供主端末２０だけでなく代理店によって利用される代理店装置を含む概念であるものとする。
【００４３】
ウェブサーバ３０は、各種サービスを提供するウェブサイトが含むサービスページ（ウェブページ）をユーザ端末１０に配信するサーバ装置である。例えば、ウェブサーバ３０は、ポータルサイト、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関連する各種情報を含むウェブページをユーザ端末１０に配信する。
【００４４】
提供装置１００は、上述のように、ユーザ情報に基づいてコンテンツを配信するとともに、コンテンツの条件がユーザによって達成された場合に、コンテンツに対応付けられた特典をユーザに提供するサーバ装置である。例えば、提供装置１００は、ユーザ端末１０からアクセスを受付けると、ユーザ端末１０の位置情報やユーザの属性等からコンテンツのマッチングを行い、マッチングの結果、配信対象となるコンテンツをユーザ端末１０に配信する。なお、提供装置１００は、ユーザ端末１０から直接的にアクセスを受け付けるのではなく、ユーザ端末１０がアクセスしたウェブページに含まれる命令（例えば、コンテンツの取得要求）に従ったユーザ端末１０からアクセスを受け付けてもよい。
【００４５】
〔３．ユーザ端末の構成〕
次に、図４を用いて、実施形態に係るユーザ端末１０の構成について説明する。図４は、実施形態に係るユーザ端末１０の構成例を示す図である。図４に示すように、ユーザ端末１０は、通信部１１と、入力部１２と、表示部１３と、検知部１４と、制御部１５と、記憶部１６とを有する。
【００４６】
通信部１１は、ネットワークＮと有線又は無線で接続され、提供装置１００やウェブサーバ３０との間で情報の送受信を行う。例えば、通信部１１は、ＮＩＣ（Network  Interface  Card）等によって実現される。
【００４７】
入力部１２は、ユーザから各種操作を受け付ける入力装置である。例えば、入力部１２は、ユーザ端末１０に備えられた操作キー等によって実現される。表示部１３は、各種情報を表示するための表示装置である。例えば、表示部１３は、液晶ディスプレイ等によって実現される。なお、ユーザ端末１０にタッチパネルが採用される場合には、入力部１２の一部と表示部１３とは一体化される。
【００４８】
検知部１４は、ユーザ端末１０に関する各種情報を検知する。具体的には、検知部１４は、ユーザ端末１０の物理的な状態を検知する。図４に示した例では、検知部１４は、位置検知部１４ａを有する。
【００４９】
位置検知部１４ａは、ユーザ端末１０の現在位置を検知する。具体的には、位置検知部１４ａは、ＧＰＳ衛星から送出される電波を受信し、受信した電波に基づいてユーザ端末１０の現在位置を示す位置情報（例えば、緯度及び経度）を検知する。
【００５０】
なお、検知部１４は、位置検知部１４ａに限られず、ユーザ端末１０の種々の状態を検知する各種機器を有してもよい。例えば、検知部１４は、ユーザ端末１０の周囲の音を収集するマイクロフォンや、ユーザ端末１０の周囲の照度を検知する照度センサや、ユーザ端末１０の物理的な動きを検知する加速度センサ（又は、ジャイロセンサなど）や、ユーザ端末１０の周囲の湿度を検知する湿度センサや、ユーザ端末１０の所在位置における磁場を検知する地磁気センサ等を有してもよい。また、検知部１４は、センサの機能を用いて、種々の情報を検知するようにしてもよい。例えば、検知部１４は、加速度センサやジャイロセンサの機能を用いて、ユーザ端末１０の速度や走行方向など、ユーザ端末１０の移動に関する情報を検知してもよい。
【００５１】
制御部１５は、例えば、コントローラ（controller）であり、ＣＰＵ（Central  Processing  Unit）やＭＰＵ（Micro  Processing  Unit）等によって、ユーザ端末１０内部の記憶装置に記憶されている各種プログラムがＲＡＭ（Random  Access  Memory)を作業領域として実行されることにより実現される。また、制御部１５は、コントローラであり、例えば、ＡＳＩＣ（Application  Specific  Integrated  Circuit）やＦＰＧＡ（Field  Programmable  Gate  Array）等の集積回路により実現される。
【００５２】
制御部１５は、提供装置１００にユーザ端末１０の位置情報を提供する処理を制御する。例えば、制御部１５は、ユーザ端末１０の位置情報の提供処理を実現するためのプログラム（アプリケーション）を実行制御する。このようなプログラムは、予めユーザ端末１０にインストールされていてもよいし、ユーザ端末１０を有するユーザＵ０１による操作に従ってサーバ装置（提供装置１００、又は、各種プログラムを提供する外部サーバ）からダウンロードされ、ユーザ端末１０にインストールされてもよい。なお、このようなプログラムの例は、カーナビアプリや、地図情報アプリである。
【００５３】
図４に示すように、制御部１５は、取得部１５１と、格納部１５２と、送信部１５３とを有し、以下に説明する情報処理の機能や作用を実現または実行する。例えば、制御部１５は、ＲＡＭを作業領域として上述したプログラムを実行することにより、取得部１５１、格納部１５２及び送信部１５３に対応する処理を実現する。なお、制御部１５の内部構成は、図４に示した構成に限られず、後述する情報処理を行う構成であれば他の構成であってもよい。また、制御部１５が有する各処理部の接続関係は、図４に示した接続関係に限られず、他の接続関係であってもよい。
【００５４】
取得部１５１は、位置情報を取得する。具体的には、取得部１５１は、検知部１４を制御することにより、検知部１４によって検知される各種情報を位置情報として取得する。例えば、取得部１５１は、位置検知部１４ａを制御することにより、位置情報として、ユーザ端末１０の位置情報と、位置情報が検知された時間に対応する時間情報を取得する。また、取得部１５１が位置情報を取得するタイミングは、制御部１５によって予め決められていてもよい。例えば、取得部１５１は、定期的（１秒毎、５秒毎、１０秒毎など）に位置情報を取得する。
【００５５】
格納部１５２は、取得部１５１によって取得された情報を記憶部１６内に格納する。例えば、格納部１５２は、取得部１５１によって取得された位置情報や、位置情報と、予め保持している地図情報とを照らし合わせた経路情報等を位置経路情報記憶部１６１に格納する。
【００５６】
送信部１５３は、位置経路情報記憶部１６１に格納された情報を提供装置１００に送信する。具体的には、送信部１５３は、ユーザ端末１０の位置情報や、ユーザ端末１０が移動した経路を示す経路情報等を含む、ユーザ端末１０の移動に関する情報を提供装置１００に送信する。より具体的には、送信部１５３は、ユーザ端末１０を識別するための識別情報と、位置情報や経路情報と、位置情報や経路情報が取得された取得日時とを対応付けて、提供装置１００に送信する。このとき、送信部１５３は、取得部１５１によって位置情報が取得されるたびに位置情報等を提供装置１００に送信してもよいし、所定の期間毎に位置情報等を提供装置１００に送信してもよい。例えば、送信部１５３は、定期的（１秒毎、５秒毎、１０秒毎など）に各種情報を提供装置１００に送信する。また、送信部１５３が各種情報を取得するタイミングは、提供装置１００によって設定されてもよい。
【００５７】
記憶部１６は、例えば、ＲＡＭ、フラッシュメモリ（Flash  Memory）等の半導体メモリ素子、または、ハードディスク、光ディスク等の記憶装置によって実現される。図４に示すように、記憶部１６は、位置経路情報記憶部１６１を有する。
【００５８】
位置経路情報記憶部１６１は、ユーザ端末１０の移動に関する情報を記憶する。ここで、図５に、実施形態に係る位置経路情報記憶部１６１の一例を示す。図５は、実施形態に係る位置経路情報記憶部１６１の一例を示す図である。図５に示した例では、位置経路情報記憶部１６１は、「アプリＩＤ」、「アプリ種別」、「取得日時」、「位置情報」、「経路情報」といった項目を有する。
【００５９】
「アプリＩＤ」は、アプリを識別する識別情報を示す。「アプリ種別」は、アプリの種別を示す。「取得日時」は、位置情報がユーザ端末１０によって取得された日時を示す。なお、図５では、位置情報が１分毎に記憶されている例を示しているが、実際には、より詳細な間隔（例えば、１秒間隔）で位置情報が取得されてもよい。
【００６０】
「位置情報」は、ユーザ端末１０の位置情報を示す。図５の例では、位置情報を「Ｐ０１」のように概念的に示しているが、実際には、位置情報の項目には、位置検知部１４ａが取得した緯度・経度などの具体的な数値が記憶される。「経路情報」は、ユーザ端末１０が移動した経路に関する情報を示す。図５の例では、経路情報を「Ｒ０１」のように概念的に示しているが、実際には、経路情報の項目には、位置情報と地図情報とを照らし合わせた結果として、ユーザ端末１０が移動した経路や、経由した道路名や、有料道路の利用の有無や、通過した交差点の名称などが記憶される。
【００６１】
すなわち、図５では、位置経路情報記憶部１６１に記憶される情報として、アプリＩＤ「Ａ０１」で識別されるアプリであって、アプリ種別「カーナビ」であるアプリを介して、「２０１６年１０月１日  １２：０１」に取得された位置情報が「Ｐ０１」であり、経路情報が「Ｒ０１」である一例を示している。
【００６２】
〔４．提供装置の構成〕
次に、図６を用いて、実施形態に係る提供装置１００の構成について説明する。図６は、実施形態に係る提供装置１００の構成例を示す図である。図６に示すように、提供装置１００は、通信部１１０と、記憶部１２０と、制御部１３０とを有する。なお、提供装置１００は、提供装置１００を利用する管理者等から各種操作を受け付ける入力部（例えば、キーボードやマウス等）や、各種情報を表示するための表示部（例えば、液晶ディスプレイ等）を有してもよい。
【００６３】
（通信部１１０について）
通信部１１０は、例えば、ＮＩＣ等によって実現される。通信部１１０は、ネットワークＮと有線又は無線で接続され、ネットワークＮを介して、ユーザ端末１０や提供主端末２０やウェブサーバ３０との間で情報の送受信を行う。
【００６４】
（記憶部１２０について）
記憶部１２０は、例えば、ＲＡＭ、フラッシュメモリ等の半導体メモリ素子、または、ハードディスク、光ディスク等の記憶装置によって実現される。記憶部１２０は、ユーザ情報記憶部１２１と、コンテンツ記憶部１２２と、移動情報記憶部１２３とを有する。
【００６５】
（ユーザ情報記憶部１２１について）
ユーザ情報記憶部１２１は、ユーザに関する情報を記憶する。ここで、図７に、実施形態に係るユーザ情報記憶部１２１の一例を示す。図７は、実施形態に係るユーザ情報記憶部１２１の一例を示す図である。図７に示すように、ユーザ情報記憶部１２１は、「ユーザＩＤ」、「端末ＩＤ」、「性別」、「年齢」、「現在地情報」、「保有ポイント」といった項目を有する。
【００６６】
「ユーザＩＤ」は、ユーザを識別する識別情報を示す。「端末ＩＤ」は、ユーザが利用する情報処理端末を識別する識別情報を示す。なお、実施形態において、識別情報は、説明に用いる参照符号と一致するものとする。例えば、ユーザＩＤ「Ｕ０１」で識別されるユーザは、ユーザＵ０１を示す。また、端末ＩＤ「１０」で識別される端末は、ユーザ端末１０を示す。
【００６７】
「性別」は、ユーザの性別を示す。「年齢」は、ユーザの年齢を示す。「現在地情報」は、ユーザの生活圏や、住所に関する情報を示す。図７の例では、現在地情報を「Ｅ０１」のように概念的に示しているが、実際には、現在地情報の項目には、ユーザの具体的な住所や、ユーザから取得される位置情報のうち、所定の閾値以上で観測される位置情報から算出されるようなユーザの生活圏の範囲などの情報が含まれる。「保有ポイント」は、ユーザが権利を有する（使用可能な）ポイントの数値を示す。
【００６８】
すなわち、図７では、ユーザＩＤ「Ｕ０１」によって示されるユーザＵ０１が、端末ＩＤ「１０」によって識別されるユーザ端末１０を利用しており、ユーザＵ０１の性別は「男性」で、年齢が「３０歳代」であることを示している。また、ユーザＵ０１の現在地情報は「Ｅ０１」であり、保有ポイントは「２０００」であることを示している。
【００６９】
（コンテンツ記憶部１２２について）
コンテンツ記憶部１２２は、コンテンツに関する情報を記憶する。ここで、図８に、実施形態に係るコンテンツ記憶部１２２の一例を示す。図８は、実施形態に係るコンテンツ記憶部１２２の一例を示す図である。図８に示すように、コンテンツ記憶部１２２は、「提供主ＩＤ」、「コンテンツＩＤ」、「条件」、「特典」、「設定時間」、「インプレッション数」、「インプレッション保証数」、「ターゲティング情報」といった項目を有する。
【００７０】
「提供主ＩＤ」は、コンテンツの提供主を識別する識別情報を示す。「コンテンツＩＤ」は、コンテンツを識別する識別情報を示す。「条件」は、コンテンツに設定された条件の内容を示す。「特典」は、条件が達成された場合にユーザに提供される特典の内容を示す。「設定時間」は、条件を達成するまでに設けられる時間（達成期限）を示す。
【００７１】
「インプレッション数」は、これまでにユーザ端末１０に配信され、ユーザ端末１０にコンテンツが表示された回数を示す。「インプレッション保証数」は、コンテンツが配信される回数として保証された数を示す。例えば、コンテンツの提供主は、インプレッション保証数を指定して、提供装置１００にコンテンツの提供を依頼する。提供装置１００は、インプレッション保証数を達成するまで、ユーザ端末１０に対するコンテンツの配信を繰り返す。
【００７２】
「ターゲティング情報」は、コンテンツに設定されたターゲティング情報を示す。図８の例では、ターゲティング情報を「Ｔ０１」のように概念的に示しているが、実際には、ターゲティング情報の項目には、コンテンツの配信先となるユーザの年齢や性別などの属性情報や、ユーザの現在地情報や、配信する時間情報（例えば、ショッピングモールの営業時間内のみコンテンツを配信するよう設定された情報など）などが含まれる。
【００７３】
すなわち、図８では、提供主ＩＤ「Ｂ０１」によって示される提供主Ｂ０１が、コンテンツＩＤ「Ｃ１０」や「Ｃ１１」によって示されるコンテンツＣ１０やコンテンツＣ１１を提供装置１００に入稿した例を示している。また、コンテンツＣ１０には、条件として、目的地が「ＡＡＡショッピングモール」であることや、使用するアプリが「カーナビアプリＡ０１」であることや、移動する距離が「２０ｋｍ以上」であること等が設定されていることを示している。また、コンテンツＣ１０に設定された条件が達成された場合の特典は「１０００ポイント」であり、設定時間は「エントリーから１２時間以内」であることを示している。また、コンテンツＣ１０の現時点のインプレッション数は「１００００」であり、インプレッション保証数は「２００００」であることを示している。また、コンテンツＣ１０に設定されたターゲティング情報は「Ｔ０１」であることを示している。
【００７４】
（移動情報記憶部１２３について）
移動情報記憶部１２３は、ユーザ端末１０の移動に関する情報を記憶する。ここで、図９に、実施形態に係る移動情報記憶部１２３の一例を示す。図９は、実施形態に係る移動情報記憶部１２３の一例を示す図である。図９に示した例では、移動情報記憶部１２３は、「ユーザＩＤ」、「端末ＩＤ」、「エントリー情報」、「エントリー日時」、「コンテンツＩＤ」、「移動情報」、「条件達成」といった項目を有する。
【００７５】
「ユーザＩＤ」、「端末ＩＤ」は、図７に示した同様の項目に対応する。「エントリー情報」は、ユーザがコンテンツに対して行ったエントリーに関する情報を示す。「エントリー日時」は、ユーザがコンテンツに対してエントリーを行った日時を示す。「コンテンツＩＤ」は、ユーザがエントリーを行った対象のコンテンツを示す。
【００７６】
「移動情報」は、提供装置１００が取得する移動情報を示す。図９の例では、移動情報を「Ｘ０１」のように概念的に示しているが、実際には、移動情報の項目には、ユーザの位置情報や、これまでの移動における経路情報や、位置情報に対応する時間情報等の情報等が含まれる。「条件達成」は、コンテンツに対してエントリーしたユーザが、コンテンツに設定された条件を達成したか否かといった結果情報を示す。例えば、条件が達成された場合には、条件達成の項目には「１」が記憶され、条件が達成されていない場合には、条件達成の項目には「０」が記憶される。
【００７７】
すなわち、図９では、「ユーザ端末１０」を利用する「ユーザＵ０１」は、「コンテンツＣ１０」に対して「２０１６年１０月１日  １２：００」にエントリーしており、ユーザ端末１０から取得された移動情報は「Ｘ０１」であり、ユーザＵ０１は、コンテンツＣ１０に設定された条件を「達成」したことを示している。
【００７８】
（制御部１３０について）
制御部１３０は、例えば、コントローラであり、ＣＰＵやＭＰＵ等によって、提供装置１００内部の記憶装置に記憶されている各種プログラム（提供プログラムの一例に相当）がＲＡＭを作業領域として実行されることにより実現される。また、制御部１３０は、コントローラであり、例えば、ＡＳＩＣやＦＰＧＡ等の集積回路により実現される。
【００７９】
図６に示すように、制御部１３０は、第１取得部１３１と、決定部１３２と、配信部１３３と、受付部１３４と、第２取得部１３５と、判定部１３６と、提供部１３７とを有し、以下に説明する情報処理の機能や作用を実現または実行する。なお、制御部１３０の内部構成は、図６に示した構成に限られず、後述する情報処理を行う構成であれば他の構成であってもよい。また、制御部１３０が有する各処理部の接続関係は、図６に示した接続関係に限られず、他の接続関係であってもよい。
【００８０】
（第１取得部１３１について）
第１取得部１３１は、各種情報を取得する。例えば、第１取得部１３１は、ユーザが利用するユーザ端末１０から、当該ユーザに関する情報であるユーザ情報を取得する。例えば、第１取得部１３１は、ユーザ情報として、ユーザの年齢や性別などの属性情報や、ユーザの居住地に関する情報や、ユーザの現在地に関する情報を取得する。第１取得部１３１は、取得した情報をユーザ情報記憶部１２１に格納する。
【００８１】
（決定部１３２について）
決定部１３２は、第１取得部１３１に取得されたユーザ情報に基づいて、ユーザ端末１０に配信するコンテンツを決定する。例えば、決定部１３２は、コンテンツに設定されたターゲティング情報と、コンテンツの配信要求を送信したユーザ端末１０に係るユーザ情報とのマッチングに基づいて、ユーザ端末１０に配信するコンテンツを決定する。
【００８２】
また、決定部１３２は、ユーザの現在地情報に基づいて、ユーザ端末１０に配信するコンテンツを決定してもよい。例えば、提供主から入稿されたコンテンツには、ターゲティング情報として、ユーザの現在地の位置情報や、ユーザの生活圏を示す位置情報等の指定が含まれるものとする。そして、決定部１３２は、ユーザの現在地情報と、コンテンツに設定された位置情報とのマッチングに基づいて配信するコンテンツを決定する。
【００８３】
図１で示した地図４０を例として説明する。提供主である商業施設５０の経営企業等は、もともとの商業施設５０の商業圏である範囲５１を生活圏とするユーザではなく、範囲５２を生活圏とするユーザに対してコンテンツの配信を所望するものとする。この場合、商業施設５０の経営企業等が入稿するコンテンツには、範囲５２を生活圏とするユーザに対してコンテンツが配信され易くなるようなターゲティング情報が設定される。これにより、決定部１３２は、決定処理において、ユーザの現在地情報に基づいて、範囲５１を生活圏とするユーザには当該コンテンツを配信するよう決定せず、範囲５２を生活圏とするユーザに対して当該コンテンツを配信するよう決定するといった調整を行うことができる。
【００８４】
なお、決定部１３２が行う決定処理については、上述した処理以外にも、一般的なインターネット広告におけるターゲティング手法などが適宜利用されてもよい。また、決定部１３２は、一度配信したコンテンツであって、ユーザがエントリーしなかったコンテンツに対しては、同一ユーザには同一のコンテンツが再び配信されることがなくなるような調整を行ってもよい。
【００８５】
（配信部１３３について）
配信部１３３は、コンテンツを配信する。例えば、配信部１３３は、決定部１３２によって決定されたコンテンツをユーザ端末１０に配信する。具体的には、配信部１３３は、ユーザ端末１０からアクセスを受け付けた場合に、当該ユーザ端末１０に対応するユーザ情報に基づいて決定されるコンテンツであって、ユーザの移動に応じて当該ユーザに所定の特典が提供されるための条件が設定されたコンテンツをユーザ端末１０に配信する。
【００８６】
例えば、配信部１３３は、ユーザの移動に応じて所定の特典が提供されるための条件として、例えば、予め設定された移動の目的地と、目的地に到達するまでにユーザが移動する移動距離とに関する条件が設定されたコンテンツを配信する。すなわち、配信部１３３は、ユーザが所定距離以上の移動を伴って目的地まで移動することを条件とするコンテンツを配信する。これにより、配信部１３３は、移動に対する動機付けをユーザに与えることができる。
【００８７】
配信部１３３は、例えば、ユーザ端末１０からアクセスを受け付けたウェブページを介して、コンテンツをユーザ端末１０に配信する。例えば、配信部１３３は、ウェブページに表示される広告の１類型として、条件が設定されたコンテンツをユーザ端末１０に配信する。
【００８８】
あるいは、配信部１３３は、ウェブページをユーザが開いた際にポップアップされる通知の１類型として、条件が設定されたコンテンツをユーザ端末１０に配信してもよい。あるいは、配信部１３３は、所定のサービスを行うウェブページと連動して、条件が設定されたコンテンツをユーザ端末１０に配信してもよい。例えば、配信部１３３は、ウェブページとして提供されるくじ引きゲームの景品や当選商品として、条件が設定されたコンテンツをユーザ端末１０に配信してもよい。また、配信部１３３は、ウェブページに限らず、例えば、カーナビアプリ等のアプリ表示画面にコンテンツを配信してもよい。
【００８９】
（受付部１３４について）
受付部１３４は、各種情報を受け付ける。例えば、受付部１３４は、配信部１３３によって配信されたコンテンツに対応付けられた特典の提供を受けるための資格をユーザが得るためのエントリーを受け付ける。
【００９０】
例えば、図２に示したように、配信部１３３は、ユーザがコンテンツ（より具体的には、コンテンツが提示する特典を取得するためのキャンペーン）に対してエントリーする旨を示すボタンが含まれるコンテンツ６０をユーザ端末１０に送信する。そして、ユーザは、コンテンツ６０が含むボタンを指Ｆ１０でタッチすること等により、特典の提供を受けるための資格を得るためのエントリーを行う。
【００９１】
受付部１３４は、エントリーを受け付けた場合、エントリーに対応するコンテンツや、エントリーされた日時や、ユーザ及びユーザ端末１０を識別する情報等を対応付けて、移動情報記憶部１２３に格納する。
【００９２】
（第２取得部１３５について）
第２取得部１３５は、各種情報を取得する。例えば、第２取得部１３５は、受付部１３４によってエントリーが受け付けられた後のユーザの移動に関する情報を取得する。具体的には、第２取得部１３５は、コンテンツにエントリーしたユーザが起動したカーナビアプリを介して、ユーザの移動に関する情報を取得する。
【００９３】
例えば、第２取得部１３５は、ユーザによって利用されるユーザ端末１０から、ユーザ端末１０の位置情報を取得する。具体的には、第２取得部１３５は、カーナビアプリを介して、所定の時間間隔でユーザ端末１０から位置情報を取得し、取得した位置情報を移動情報記憶部１２３に格納する。
【００９４】
また、第２取得部１３５は、曜日情報を含めた日時情報とともに位置情報を取得するようにしてもよい。例えば、提供装置１００が提供する特典には、曜日によって使用可能なクーポンや、商業施設等の営業時間内のみに有効なクーポン等が含まれる場合がある。この場合、後述する提供部１３７は、第２取得部１３５が取得した日時情報に基づいて特典をユーザに提供する場合がある。
【００９５】
なお、第２取得部１３５は、必ずしもユーザ端末１０が位置情報を取得した時間と同じ時間に位置情報を取得しなくてもよい。すなわち、第２取得部１３５は、リアルタイムに位置情報を取得するのではなく、任意のタイミングで、ユーザ端末１０の記憶部１６に記憶されている位置情報や経路情報を取得するようにしてもよい。また、説明のため、図６では第１取得部１３１と第２取得部１３５とを異なる処理部として示しているが、第２取得部１３５が取得する情報を第１取得部１３１が取得してもよい。この場合、第１取得部１３１が取得するユーザ情報には、ユーザ又はユーザ端末１０の移動に関する情報が含まれてもよい。
【００９６】
（判定部１３６について）
判定部１３６は、配信部１３３によって配信されたコンテンツに設定された条件をユーザが達成したか否かを判定する。例えば、判定部１３６は、第２取得部１３５によって取得されたユーザの移動情報に基づいて、コンテンツに設定された条件をユーザが達成したか否かを判定する。
【００９７】
すなわち、判定部１３６は、第２取得部１３５によって取得されたユーザの移動情報に含まれる要素である、移動距離、位置情報、移動完了時点の時間、又は移動が行われた経路の少なくともいずれかを判定要素として、条件をユーザが達成したか否かを判定する。より具体的には、判定部１３６は、条件に含まれる所定距離以上をユーザが移動したか否か、条件となっている目的地にユーザが到達したか否か（ユーザの位置情報が目的地の近傍と一致するか否か）等に基づいて、ユーザが条件を達成したか否かを判定する。
【００９８】
なお、判定部１３６は、条件として設定された期限を超過するまで、判定処理を継続するようにしてもよい。例えば、ユーザは、エントリーを行った直後に移動を開始するのではなく、所定の時間を経た後に移動を開始する場合がある。判定部１３６は、このような移動が観測される場合であっても、条件の設定時間を超過するまでは判定処理を繰り返す。そして、判定部１３６は、所定のタイミングで、ユーザの移動情報がエントリーしたコンテンツの条件を満たした場合に、ユーザが当該条件を達成したと判定してもよい。
【００９９】
（提供部１３７について）
提供部１３７は、配信部１３３によって配信されたコンテンツに設定された条件が達成された場合に、コンテンツに対応付けられた特典をユーザに提供する。例えば、提供部１３７は、判定部１３６によって条件が達成されたと判定された場合に、コンテンツに対応付けられた特典をユーザに提供する。
【０１００】
なお、提供部１３７は、受付部１３４によって受け付けられたエントリーによって特典を提供するユーザを特定するようにしてもよい。すなわち、提供部１３７は、受付部１３４によって受け付けられたエントリーに対応するコンテンツに設定された条件が達成された場合に、コンテンツに対応付けられた特典をユーザに提供する。
【０１０１】
例えば、提供部１３７は、店舗で使用可能なクーポンや、複数の店舗で通貨の代わりに使用可能なポイント等を特典として提供する。具体的には、提供部１３７は、ユーザ端末１０に対してクーポンを使用する権利を付与したり、ポイント数を加算する処理を行ったりすることで、コンテンツに設定された特典を提供する。
【０１０２】
なお、提供部１３７は、判定部１３６によって判定された移動距離、位置情報、移動に費やす時間、移動完了時点の時間、又は移動が行われた経路の少なくともいずれか一つの要素に基づいて、ユーザに提供する特典の内容を変更してもよい。例えば、提供部１３７は、移動距離が長いユーザほど多くのポイントを特典として付与するなど、特典を提供する処理において、特典の内容を変更するような処理を行ってもよい。これにより、提供部１３７は、より長い距離や、より長い時間の移動をユーザが行うような動機付けを与えることができる。
【０１０３】
〔５．ウェブサーバの構成〕
次に、図１０を用いて、実施形態に係るウェブサーバ３０の構成について説明する。図１０は、実施形態に係るウェブサーバ３０の構成例を示す図である。図１０に示すように、ウェブサーバ３０は、通信部３１と、ウェブページ記憶部３２と、制御部３３とを有する。
【０１０４】
通信部３１は、例えば、ＮＩＣ等によって実現される。そして、通信部３１は、ネットワークＮと有線または無線で接続され、ユーザ端末１０や提供装置１００との間で情報の送受信を行う。
【０１０５】
ウェブページ記憶部３２は、例えば、ＲＡＭ、フラッシュメモリ等の半導体メモリ素子、または、ハードディスク、光ディスク等の記憶装置によって実現される。そして、ウェブページ記憶部３２は、ウェブページに関する情報を記憶する。例えば、ウェブページ記憶部３２は、ウェブページを形成するＨＴＭＬファイルや、ウェブページに表示される静止画像や動画像を記憶する。なお、ウェブページ記憶部３２に記憶されるウェブページには、ウェブページ上に表示させるコンテンツを取得するための取得命令が含まれる場合がある。
【０１０６】
制御部３３は、例えば、ＣＰＵやＭＰＵ等によって、ウェブサーバ３０内部の記憶装置に記憶されている各種プログラムがＲＡＭを作業領域として実行されることにより実現される。また、制御部３３は、例えば、ＡＳＩＣやＦＰＧＡ等の集積回路により実現される。
【０１０７】
図１０に示すように、制御部３３は、受付部３４と、配信部３５とを有し、以下に説明する情報処理の機能や作用を実現または実行する。なお、制御部３３の内部構成は、図１０に示した構成に限られず、後述する情報処理を行う構成であれば他の構成であってもよい。また、制御部３３が有する各処理部の接続関係は、図１０に示した接続関係に限られず、他の接続関係であってもよい。
【０１０８】
受付部３４は、ユーザ端末１０からウェブページの取得要求を受け付ける。例えば、受付部３４は、ウェブページの取得要求として、ＨＴＴＰリクエストを受け付ける。
【０１０９】
配信部３５は、受付部３４によってウェブページの取得要求が受け付けられた場合に、ウェブページをユーザ端末１０に配信する。具体的には、配信部３５は、ウェブページ記憶部３２から取得要求対象のウェブページを取得し、取得したウェブページをユーザ端末１０に配信する。上記の通り、ウェブページ記憶部３２に記憶されているウェブページは、コンテンツの取得命令を含む。すなわち、ユーザ端末１０は、取得したウェブページを表示する際に、ウェブページに含まれる取得命令に従い、提供装置１００に対してコンテンツの配信要求を送信する。
【０１１０】
〔６．処理手順〕
次に、図１１及び図１２を用いて、実施形態に係る提供装置１００による処理の手順について説明する。まず、図１１を用いて、提供装置１００がユーザからエントリーを受け付けるまでの処理手順について説明する。図１１は、実施形態に係る処理手順を示すフローチャート（１）である。
【０１１１】
図１１に示すように、第１取得部１３１は、ユーザ端末１０からユーザ情報を取得したか否かを判定する（ステップＳ１０１）。第１取得部１３１は、ユーザ情報を取得していない場合（ステップＳ１０１；Ｎｏ）、取得するまで待機する。
【０１１２】
一方、ユーザ情報を取得した場合（ステップＳ１０１；Ｙｅｓ）、決定部１３２は、取得されたユーザ情報に基づいて、ユーザ端末１０に配信するコンテンツを決定する（ステップＳ１０２）。
【０１１３】
そして、配信部１３３は、ユーザ端末１０にコンテンツを配信する（ステップＳ１０３）。続けて、受付部１３４は、配信されたコンテンツに対して、ユーザからエントリーを受け付けたか否かを判定する（ステップＳ１０４）。ユーザからエントリーを受け付けない場合には（ステップＳ１０４；Ｎｏ）、受付部１３４は、エントリー情報を記憶せずに処理を終了する。
【０１１４】
一方、ユーザからエントリーを受け付けた場合には（ステップＳ１０４；Ｙｅｓ）、受付部１３４は、エントリー情報を記憶し（ステップＳ１０５）、処理を終了する。
【０１１５】
次に、図１２を用いて、ユーザがエントリーを行った後の提供装置１００の処理手順について説明する。図１２は、実施形態に係る処理手順を示すフローチャート（２）である。
【０１１６】
図１２に示すように、第２取得部１３５は、ユーザ端末１０から移動に関する情報を取得する（ステップＳ２０１）。そして、判定部１３６は、ユーザがエントリーした条件について、取得した情報が条件を満たすか否かを判定する（ステップＳ２０２）。取得した情報が条件を満たさない場合（ステップＳ２０２；Ｎｏ）、判定部１３６は、条件に関して設定された時間を超過したか否かを判定する（ステップＳ２０３）。
【０１１７】
条件に関して設定された時間を超過していない場合には（ステップＳ２０３；Ｎｏ）、第２取得部１３５は、ユーザ端末１０から移動に関する情報を取得する処理を継続する（ステップＳ２０１）。一方、条件に関して設定された時間を超過している場合には（ステップＳ２０３；Ｙｅｓ）、判定部１３６は、ユーザが条件を満たすことができなかったと判定し、ユーザが行ったエントリーを終了させる（ステップＳ２０４）。
【０１１８】
一方、取得した情報が条件を満たしている場合（ステップＳ２０２；Ｙｅｓ）、提供部１３７は、コンテンツに対応付けられた特典をユーザに提供して、処理を終了する（ステップＳ２０５）。
【０１１９】
〔７．変形例〕
上述した実施形態に係る処理は、上記実施形態以外にも種々の異なる形態にて実施されてもよい。以下では、提供システム１の他の実施形態について説明する。
【０１２０】
〔７−１．条件の設定例（１）〕
上記実施形態では、コンテンツに設定される条件として、ユーザが所定距離以上を走行することが設定される例を示した。しかし、提供装置１００は、所定距離を条件とするのではなく、他の情報を条件として設定してもよい。
【０１２１】
例えば、提供装置１００は、予め設定された目的地と、目的地に到達するまでにユーザが移動に費やす移動時間とに関する条件が設定されたコンテンツを配信するようにしてもよい。この点について、図１３を用いて説明する。図１３は、変形例に係る提供処理の一例を説明する図（１）である。図１３では、提供装置１００から配信されたコンテンツ７０及びコンテンツ７１を表示するユーザ端末１０を図示している。
【０１２２】
図１３に示すように、コンテンツ７０には、「エントリー募集！」といったテキストと、「カーナビアプリを使って３０分以上走ってＡＡＡショッピングモールへ行こう！目的地に着いたらポイントがもらえるよ。」といったテキストと、エントリーする旨を示すためのボタン等が含まれる。
【０１２３】
図２と同様に、ユーザは、指Ｆ１０で画面をタッチすることで、コンテンツ７０に対してエントリーする旨を提供装置１００に送信する。そして、ユーザは、カーナビアプリを利用して目的地に移動し、目的地に到着したものとする（ステップＳ２１）。
【０１２４】
提供装置１００は、ユーザ端末１０の移動情報に基づいて、ユーザが目的地に到達したと判定するとともに、ユーザがエントリー後に移動に費やした時間が３０分以上であるか否かを判定する。
【０１２５】
そして、提供装置１００は、ユーザが条件を満たした移動を行ったと判定した場合には、ユーザ端末１０にコンテンツ７１を配信する。例えば、図１３に示すように、コンテンツ７１には、「移動完了！」といったテキストと、「目的地に到着しました！今回の移動時間は４５分でした。今回の移動でポイントが１０００ポイント付与されました。」といった、ユーザが提供される特典に関する内容を示したテキストが含まれる。
【０１２６】
このように、提供装置１００は、条件として所定距離の移動をユーザに求めるのみならず、移動時間を条件とするよう設定してもよい。かかる処理によっても、提供装置１００は、ユーザの移動を促すことができるので、移動に対する動機付けを与えることができる。
【０１２７】
〔７−２．条件の設定例（２）〕
上記実施形態では、コンテンツに設定される条件として、一箇所の目的地が設定される例を示した。しかし、提供装置１００は、条件となる目的地を複数個設定してもよい。
【０１２８】
すなわち、提供装置１００は、予め設定された複数の目的地に関する条件が設定されたコンテンツを配信し、条件に設定された複数の目的地に関する条件が達成された場合に、コンテンツに対応付けられた特典をユーザに提供するようにしてもよい。この点について、図１４を用いて説明する。図１４は、変形例に係る提供処理の一例を説明する図（２）である。図１４では、提供装置１００から配信されたコンテンツ８０及びコンテンツ８１を表示するユーザ端末１０を図示している。なお、図１４に示す例では、ユーザが、複数の目的地に到達する条件が設定されたコンテンツに対してエントリーを既に行っているものとする。
【０１２９】
図１４に示すように、コンテンツ８０には、「移動完了！」といったテキストと、「第１目的地ＣＣＣに到着しました！残りの目的地は、ＤＤＤ、ＥＥＥです！」といった、ユーザが次に移動すべき目的地を示したテキストが含まれる。その後、ユーザが、目的地を順に移動し、全ての目的地に到着したとする（ステップＳ３１）。
【０１３０】
提供装置１００は、ユーザ端末１０の移動情報に基づいて、ユーザが全ての目的地に到達したか否かを判定する。そして、提供装置１００は、ユーザが条件を満たした移動を行ったと判定した場合には、ユーザ端末１０にコンテンツ８１を配信する。例えば、図１４に示すように、コンテンツ８１には、「移動完了！」といったテキストと、「全ての目的地に到着しました！おめでとうございます。今回の移動でポイントが１０００ポイント付与されました。」といった、ユーザが提供される特典に関する内容を示したテキストが含まれる。
【０１３１】
このように、提供装置１００は、条件として一箇所の目的地を設定するのみならず、複数の目的地を設定してもよい。これにより、提供装置１００は、例えば観光地におけるスタンプラリーのように、ユーザに多くの移動を行う動機付けを与えることができる。
【０１３２】
〔７−３．条件の設定例（３）〕
また、提供装置１００は、所定距離や移動に費やした時間を条件とするのみならず、所定の地理的情報を条件として設定してもよい。例えば、提供装置１００は、位置情報と地図情報とを照らし合わせることにより、ユーザが所在する地理的情報を特定することができる。一例として、提供装置１００は、ユーザが所在する都道府県を特定することができる。
【０１３３】
この場合、提供装置１００は、地理的情報によって特定される情報を条件として設定してもよい。例えば、提供装置１００は、コンテンツに設定する条件として、「東京都から出発して、東京都以外の都道府県のショッピングモールを訪れる」といった条件を設定してもよい。そして、提供装置１００は、ユーザ端末１０から取得する移動情報に基づいて、ユーザが東京都から出発して東京都以外の都道府県に到達し、その場所に所在するショッピングモールを訪れたか否かを判定するようにしてもよい。
【０１３４】
このように、提供装置１００は、地理的情報によって特定される情報が条件として設定されたコンテンツを配信してもよい。これにより、提供装置１００は、所定距離や所定時間の移動等と比較して、ユーザが直感的にわかりやすい移動を促すことができる。
【０１３５】
なお、提供装置１００は、都道府県に限らず、例えば、交通機関の駅名などを条件として設定してもよい。この場合、提供装置１００は、例えば「３つの駅を乗り継いでショッピングモールを訪れる」など、交通機関の利用を条件としたコンテンツを配信するようにしてもよい。
【０１３６】
〔７−４．移動情報の提供〕
提供装置１００は、ユーザの移動に関する情報をコンテンツの提供主に提供するようにしてもよい。例えば、ユーザがカーナビアプリを利用して移動を行なった場合、ユーザ端末１０は、移動情報として、移動を開始した出発点の位置情報や、移動距離や、経路や、移動に費やした時間や、移動を終了した時点の時間情報等を取得することができる。また、提供装置１００は、ユーザ端末１０に関する移動情報を取得することができる。
【０１３７】
このため、提供装置１００は、ユーザの移動に関する詳細な情報を取得することができる。提供装置１００は、かかる情報をコンテンツの提供主（図１の例では、商業施設５０の経営企業等）に提供することにより、提供主の事業に役立つ情報を提供することができる。
【０１３８】
例えば、提供装置１００は、条件を達成したユーザもしくはユーザが利用するユーザ端末１０に関する情報（ユーザ情報）をコンテンツの提供主に提供する。これにより、提供装置１００は、どのような属性のユーザがコンテンツに対してエントリーを行い、また、積極的に店舗を訪れるかといったユーザのプロファイルデータを提供主に提示することができる。
【０１３９】
また、提供装置１００は、条件を達成したユーザもしくはユーザが利用するユーザ端末１０に関する情報として、条件を達成したユーザの数、条件を達成するまでにユーザが移動した距離、条件を達成するまでにユーザが移動に費やした時間、又は、条件を達成するまでにユーザが移動した経路に関する情報の少なくとも一つを提供するようにしてもよい。これにより、提供装置１００は、どのような移動を経て、ユーザが店舗を訪れるかといったデータを提供主に提示することができる。
【０１４０】
また、提供装置１００は、条件を達成したユーザもしくはユーザが利用するユーザ端末１０に関する情報として、条件を達成するための移動においてユーザが移動を開始した出発地に関する情報、ユーザの居住地に関する情報、又は、ユーザの生活圏に関する情報の少なくとも一つを提供するようにしてもよい。これにより、提供装置１００は、どのような位置を生活圏とするユーザ群が、どのくらいの割合で比較的遠方にある店舗を訪れるかといったデータを提供主に提示することができる。
【０１４１】
〔７−５．効果測定〕
また、提供装置１００は、実際に移動を行ったユーザの移動情報に基づいて、学習処理を行ってもよい。例えば、提供装置１００は、ある施設を目的地として、所定距離以上の移動を条件とするコンテンツに関して、実際に移動を行ったユーザの移動情報を集計する。そして、提供装置１００は、例えば、条件が３０ｋｍ以下の距離ならばユーザは積極的に移動するが、３０ｋｍを超える距離に所在するユーザは積極的に移動しないといった傾向を学習する。かかる学習は、例えば、既知の統計手法等に基づいて行われてもよい。
【０１４２】
この場合、提供装置１００は、コンテンツに設定される条件として、例えば、要求する所定距離の移動を３０ｋｍ以内の移動とするように更新するといった調整を行ってもよい。あるいは、提供装置１００は、３０ｋｍ以上の移動を行うユーザに対して、特典をより良い特典に変更するなどといった調整を行ってもよい。このように、提供装置１００は、コンテンツの配信によって、実際にどれだけの移動をユーザが行うかといった効果測定を行うことにより、コンテンツに設定された条件や特典を最適化する処理を行ってもよい。これにより、提供装置１００は、通常では移動を行わないユーザ群に対しても、魅力的な特典を提示したり、柔軟な条件設定を提示したりできるため、ユーザの移動に対する動機付けをより与えることができる。
【０１４３】
〔７−６．自動測定〕
上記実施形態では、提供装置１００は、エントリーが行われたユーザの移動情報を取得する例を示した。しかし、提供装置１００は、エントリーが行われないユーザの移動情報を取得し、条件を満たしたユーザに対しては特典を提供するようにしてもよい。
【０１４４】
例えば、提供装置１００は、コンテンツが表示されたユーザ端末１０を利用するユーザに対して、一律に特典を受ける権利を付与するようにしてもよい。この場合、提供装置１００は、コンテンツの配信を受けた各ユーザの移動情報を取得する。そして、提供装置１００は、移動情報が条件を満たしたユーザに対して特典を提供する。これにより、提供装置１００は、より多くのユーザに対して特典を提供することができるため、結果として、コンテンツに関係する商業施設の活性化を促すことができる。
【０１４５】
〔７−７．移動の態様〕
上記実施形態では、提供装置１００は、カーナビアプリを利用して、自動車で移動するユーザを前提としてユーザの移動情報を取得する例を示した。しかし、提供装置１００は、自動車のみならず、他の乗り物や、徒歩で移動するユーザに特典を提供してもよい。
【０１４６】
例えば、ユーザ端末１０は、カーナビアプリに限らず、マップを表示するアプリ等を利用して、ユーザの位置情報や、移動に関する情報を取得する。そして、ユーザ端末１０は、例えば、ユーザが電車を利用して所定距離以上の移動を行ったことや、現在地から所定距離以上離れた目的地にユーザが移動したこと等を示す移動情報を提供装置１００に送信する。
【０１４７】
提供装置１００は、ユーザ端末１０から送信された情報に基づいてユーザが条件を満たしたか否かを判定し、ユーザが条件を満たした場合には、カーナビアプリの使用の有無にかかわらず、特典を提供するようにしてもよい。このように、提供装置１００は、ユーザの移動に関して柔軟に提供処理を行うことができるため、幅広いユーザ群を処理対象として提供処理を行うことができる。
【０１４８】
〔７−８．行動履歴の利用〕
提供装置１００は、ユーザ情報として、ユーザのネットワーク上の行動履歴を取得してもよい。例えば、提供装置１００は、ネットワークを利用したユーザの購買履歴や、検索履歴を取得する。具体的には、提供装置１００は、ショッピングサイトでユーザが購買した商品や、検索サイトでユーザが検索した検索クエリに関する情報を取得する。
【０１４９】
そして、提供装置１００は、ユーザのネットワーク上の行動履歴に基づいて、ユーザに適したコンテンツを配信するようにしてもよい。例えば、提供装置１００は、赤ちゃん用品を購入したり、赤ちゃん用品に関する検索を頻繁に行ったりする傾向にあるユーザに対して、赤ちゃん用品を専門に扱う商業施設を目的地とする条件が設定されたコンテンツを配信する。このように、提供装置１００は、ユーザの興味関心に関連する条件が設定されたコンテンツをユーザに配信することにより、ユーザの移動の動機付けを強く与えることや、ユーザの積極的な移動を促すことができる。
【０１５０】
また、提供装置１００は、ユーザのネットワーク上の行動履歴に基づいて、ユーザに提供する特典を変動させてもよい。例えば、ネットワーク上で比較的多額の購買を行うユーザは、購買に積極的なユーザであり、ポイント等が付与されることで、より多くの購買を行うことが期待できる。提供装置１００は、このようなユーザの行動履歴に基づき、例えば特典として提供するポイント数を増加させるなどの処理を行ってもよい。これにより、提供装置１００は、ユーザの消費活動をより活発にすることができる。
【０１５１】
〔７−９．移動に基づく特典〕
提供装置１００は、ユーザの移動情報に基づいて変更される特典を提供してもよい。例えば、提供装置１００は、ユーザが移動した距離に応じて変更される特典を提供する。一例として、提供装置１００は、ユーザが移動した距離が長いほど、特典として付与されるポイントが多くなるような処理を行う。これにより、提供装置１００は、より長い距離を移動しようという動機付けをユーザに与えることができる。
【０１５２】
また、提供装置１００は、経路に応じて変更される特典を提供してもよい。例えば、提供装置１００は、ユーザが条件を満たした移動情報において、ユーザの経路情報に基づいて、ユーザが有料道路を利用したという情報を取得する。この場合、提供装置１００は、ユーザが有料道路で支払った代金に相当するポイントを、通常の特典に上乗せして提供する処理を行ってもよい。これにより、提供装置１００は、有料道路など、ユーザが移動を行おうとする際に妨げとなる要素の存在を軽くすることができるため、ユーザの積極的な移動を促すことができる。
【０１５３】
〔７−１０．ターゲティング〕
提供装置１００は、取得したユーザ情報に基づいてコンテンツを配信するのみならず、ユーザ情報に基づいて条件を調整したり、特典を変更したりするようにしてもよい。例えば、提供装置１００は、特典がクーポンである場合に、男性ユーザと女性ユーザとで異なるクーポンを提供するようにしてもよい。また、提供装置１００は、ユーザの住所に応じて、異なる移動距離を条件とするコンテンツを配信するようにしてもよい。
【０１５４】
〔７−１１．コンテンツ配信〕
提供装置１００は、ウェブページにコンテンツを配信するのみならず、種々の態様でコンテンツを配信してもよい。例えば、提供装置１００は、ユーザがカーナビアプリや地図情報アプリを起動したタイミングで表示される告知情報として、コンテンツを配信するようにしてもよい。
【０１５５】
また、提供装置１００は、ユーザの過去の位置情報に基づいて、配信するコンテンツを決定するようにしてもよい。例えば、提供装置１００は、ユーザの移動情報を取得し、移動情報を解析することによって、ユーザが頻繁に訪れる商業施設である商業施設５５を特定する。
【０１５６】
ここで、提供装置１００は、商業施設５５と競合する商業施設５６が目的地として設定されたコンテンツの配信を商業施設５６に依頼されたとする。この場合、提供装置１００は、商業施設５５を頻繁に訪れる傾向を有するユーザをターゲットとして、商業施設５６が目的地として設定されたコンテンツを配信するようにしてもよい。すなわち、提供装置１００は、条件として設定された目的地に基づいて、当該コンテンツの配信先となるユーザを決定してもよい。これにより、提供装置１００は、通常では商業施設５６を訪れる動機のないユーザに対して、商業施設５５の代わりに商業施設５６を訪れる動機付けを与えることができる。
【０１５７】
〔７−１２．気象情報の利用〕
提供装置１００は、気象情報に基づいて、配信するコンテンツを決定したり、特典を変動させたりする処理を行ってもよい。例えば、提供装置１００は、外気温の高い日には、特典としてアイスクリームと交換可能なクーポンを提供するなど、状況に即して特典を変動させてもよい。これにより、提供装置１００は、ユーザにとってより魅力のある特典を提供することができる。
【０１５８】
〔７−１３．条件の達成状況〕
提供装置１００は、条件の達成状況に基づいて、提供する特典を変動させる処理を行ってもよい。例えば、提供装置１００は、複数のユーザに配信されたコンテンツのうち、比較的早い順番で条件を達成したユーザに対しては、他のユーザよりも多くのポイントを付与するなど、提供される特典に差を設けてもよい。また、提供装置１００は、ユーザ端末１０に配信するコンテンツに、他のユーザよりも早く条件を達成することを促す内容のテキストを含めてもよい。すなわち、提供装置１００は、より早く条件を達成された場合の特典をより良いものにすることで、条件を積極的に達成しようとするようユーザを促すことができる。結果として、提供装置１００は、ユーザの積極的な移動を促すことができる。
【０１５９】
〔７−１４．課金処理〕
提供装置１００は、配信したコンテンツを契機として商業施設に誘導されたユーザの数や、コンテンツに設定された条件を達成したユーザの数等に応じて、商業施設に対して課金する課金処理を行ってもよい。これにより、提供装置１００は、コンテンツの配信処理や特典の提供処理に関するマネタイズを行うことができる。
【０１６０】
〔７−１５．ユーザ情報〕
提供装置１００は、ユーザ端末１０から取得可能な情報であれば、あらゆる情報をユーザ情報として処理に利用してもよい。例えば、提供装置１００は、ユーザの氏名や家族構成、ユーザの職業や勤務先、ユーザの年収や借金の額等の情報を取得してもよい。また、提供装置１００は、ユーザ端末１０のみならず、ユーザ端末１０がアクセスしたウェブサーバ３０からユーザ情報の提供を受け、ユーザ情報を取得するようにしてもよい。
【０１６１】
〔７−１６．ユーザ端末の構成〕
上記実施形態では、ユーザ端末１０の構成例について図４を用いて説明した。しかし、ユーザ端末１０は、図４で例示した全ての処理部を備えることを必ずしも要しない。例えば、ユーザ端末１０は、表示部１３や位置検知部１４ａを必ずしも備えていなくてもよい。また、ユーザ端末１０は、２以上の機器に分離されて図４を示す構成が実現されてもよい。例えば、ユーザ端末１０は、少なくとも検知部１４と取得部１５１とを有する検知装置と、少なくとも通信部１１を有する通信装置とが分離された構成を有する、２台以上の機器により実現されてもよい。
【０１６２】
〔７−１７．位置情報〕
上記実施形態では、提供装置１００が、ＧＰＳ等を用いて取得されたユーザ端末１０の位置情報等を処理に利用する点について説明した。ここで、提供装置１００は、ＧＰＳ等に限らず、ユーザやユーザ端末１０の位置を推定することができる情報であれば、あらゆる情報を利用してもよい。
【０１６３】
例えば、提供装置１００は、目的地となる商業施設に設置されたアクセスポイントにユーザ端末１０が接続したことにより、ユーザが商業施設の近傍まで移動したことを推定する。これをもって、提供装置１００は、ユーザが目的地に到達したと判定してもよい。また、提供装置１００は、例えば、ユーザ端末１０が駅改札や商店等で使用される非接触型ＩＣカードと同等の機能を備えている場合（もしくは、ユーザ端末１０が非接触型ＩＣカードの履歴を読み取る機能を備えている場合）、当該非接触型ＩＣカードの使用履歴に基づいて、ユーザの移動した距離や経路や位置情報を推定してもよい。これにより、提供装置１００は、所定の駅間でユーザが移動したか否か等を推定できるため、コンテンツに設定された条件をユーザが満たしたか否かを判定することができる。
【０１６４】
〔７−１８．特典〕
提供装置１００は、上記実施形態で説明した内容以外の特典を提供してもよい。例えば、提供装置１００は、目的地となる商業施設や店舗以外で使用可能なポイントを付与してもよい。また、提供装置１００が付与するポイントは、クレジットカードに付随するポイントや、クレジットカードや電子マネーに引き換え可能なポイント等であってもよい。また、提供装置１００は、商品と引き換えたり割引を行ったりするためのクーポンに限らず、例えば、商業施設に入場するための入場券や、商業施設を利用するための利用券等を特典として提供してもよい。
【０１６５】
〔８．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１６６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、説明のため、実施例では第１取得部１３１と第２取得部１３５とを異なる処理部として示しているが、第１取得部１３１と第２取得部１３５とは統合されてもよい。
【０１６７】
また、上述してきた実施形態及び変形例は、処理内容を矛盾させない範囲で適宜組み合わせることが可能である。
【０１６８】
〔９．ハードウェア構成〕
上述してきた実施形態に係る提供装置１００やユーザ端末１０等は、例えば図１５に示すような構成のコンピュータ１０００によって実現される。以下、提供装置１００を例に挙げて説明する。図１５は、提供装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１６９】
ＣＰＵ１１００は、ＲＯＭ１３００又はＨＤＤ１４００に記憶されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を記憶する。
【０１７０】
ＨＤＤ１４００は、ＣＰＵ１１００によって実行されるプログラム、及び、かかるプログラムによって使用されるデータ等を記憶する。通信インターフェイス１５００は、通信網５００（図３に示したネットワークＮに対応）を介して他の機器からデータを受信してＣＰＵ１１００へ送り、ＣＰＵ１１００が生成したデータを、通信網５００を介して他の機器へ送信する。
【０１７１】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１７２】
メディアインターフェイス１７００は、記録媒体１８００に記憶されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１７３】
例えば、コンピュータ１０００が実施形態に係る提供装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが記憶される。コンピュータ１０００のＣＰＵ１１００は、これらのプログラムを記録媒体１８００から読み取って実行するが、他の例として、他の装置から通信網５００を介してこれらのプログラムを取得してもよい。
【０１７４】
〔１０．効果〕
上述してきたように、実施形態に係る提供装置１００は、第１取得部１３１（取得部の一例）と、配信部１３３と、提供部１３７とを有する。第１取得部１３１は、ユーザが利用するユーザ端末１０から、ユーザに関する情報であるユーザ情報を取得する。配信部１３３は、ユーザ端末１０からアクセスを受け付けた場合に、ユーザ情報に基づいて決定されるコンテンツであって、ユーザの移動に応じてユーザに所定の特典が提供されるための条件が設定されたコンテンツをユーザ端末１０に配信する。提供部１３７は、配信部１３３によって配信されたコンテンツに設定された条件が達成された場合に、コンテンツに対応付けられた特典をユーザに提供する。
【０１７５】
このように、実施形態に係る提供装置１００は、アクセスを受け付けたユーザ端末１０のユーザ情報に基づいて、ユーザの移動に応じてユーザに所定の特典が提供されるための条件が設定されたコンテンツを配信する。これにより、提供装置１００は、ユーザの現状に応じたコンテンツの配信を行うことができ、また、移動に応じて特典を提供することにより、ユーザの移動を促すことができる。結果として、提供装置１００は、移動を行うことへの動機付けをユーザに与えることができる。
【０１７６】
また、配信部１３３は、予め設定された目的地と、目的地に到達するまでにユーザが移動する移動距離とに関する条件が設定されたコンテンツを配信する。
【０１７７】
このように、実施形態に係る提供装置１００は、移動距離を条件としたコンテンツを配信する。これにより、提供装置１００は、ユーザに所定距離以上の移動を促すことができるため、ユーザが生活圏を超えて移動することを促進することができる。
【０１７８】
また、配信部１３３は、予め設定された目的地と、目的地に到達するまでにユーザが移動に費やす移動時間とに関する条件が設定されたコンテンツを配信する。
【０１７９】
このように、実施形態に係る提供装置１００は、移動時間を条件としたコンテンツを配信する。これにより、提供装置１００は、ユーザに所定時間以上の移動を促すことができるため、ユーザが生活圏を超えて移動することを促進することができる。
【０１８０】
また、実施形態に係る提供装置１００は、配信部１３３によって配信されたコンテンツに設定された条件をユーザが達成したか否かを判定する判定部１３６をさらに備える。第１取得部１３１（もしくは、第２取得部１３５）は、判定部１３６が判定に用いる要素となるユーザの移動に関する情報を取得する。提供部１３７は、判定部１３６によって条件が達成されたと判定された場合に、コンテンツに対応付けられた特典をユーザに提供する。
【０１８１】
このように、実施形態に係る提供装置１００は、ユーザに関する情報に基づいて条件を判定する処理を行ってもよい。これにより、提供装置１００は、実際に移動を行ったユーザを抽出して特典を提供することができるため、適切な提供処理を行うことができる。
【０１８２】
また、判定部１３６は、条件として設定された移動距離、位置情報、移動に費やす時間、移動完了時点の時間、又は移動が行われた経路の少なくともいずれか一つを判定要素として、条件をユーザが達成したか否かを判定する。
【０１８３】
このように、実施形態に係る提供装置１００は、移動距離等の情報に基づいて判定を行う。これにより、提供装置１００は、条件の達成を詳細に判定することができる。
【０１８４】
また、提供部１３７は、判定部１３６によって判定された移動距離、位置情報、移動に費やす時間、移動完了時点の時間、又は移動が行われた経路の少なくともいずれか一つの要素に基づいて、ユーザに提供する特典の内容を変更する。
【０１８５】
このように、実施形態に係る提供装置１００は、移動距離等に応じて特典を変更する処理を行ってもよい。例えば、提供装置１００は、長い距離を移動したユーザほど、多くの特典が得られるように特典の内容を変更してもよい。これにより、提供装置１００は、移動に関する動機付けをより強くユーザに与えることができる。
【０１８６】
また、実施形態に係る提供装置１００は、配信部１３３によって配信されたコンテンツに対応付けられた特典の提供を受けるための資格をユーザが得るためのエントリーを受け付ける受付部１３４をさらに備える。提供部１３７は、受付部１３４によって受け付けられたエントリーに対応するコンテンツに設定された条件が達成された場合に、コンテンツに対応付けられた特典をユーザに提供する。
【０１８７】
このように、実施形態に係る提供装置１００は、エントリーを受け付けたユーザを特定した提供処理を行ってもよい。これにより、提供装置１００は、条件を達成しようという意思のあるユーザのみ処理対象とすることができるため、不特定多数のユーザを処理対象とするよりも処理負荷を軽減することができる。
【０１８８】
また、配信部１３３は、ユーザ端末１０からアクセスを受け付けたウェブページを介して、コンテンツをユーザ端末１０に配信する。
【０１８９】
このように、実施形態に係る提供装置１００は、ウェブページのアクセスに応じてコンテンツを配信してもよい。これにより、提供装置１００は、ユーザが日常的に訪れるウェブページの広告枠やポップアップ等を利用してコンテンツをユーザの目に触れさせることができるため、ユーザのコンテンツへの接触機会を多く設けることができる。すなわち、提供装置１００は、移動を促す通知を頻繁にユーザに配信することができるため、ユーザの移動を促進させることができる。
【０１９０】
また、提供部１３７は、条件を達成したユーザもしくはユーザが利用するユーザ端末１０に関する情報をコンテンツの提供主に提供する。
【０１９１】
このように、実施形態に係る提供装置１００は、ユーザ情報をコンテンツの提供主（例えば、商業施設の経営企業や管理者等）に提供する処理を行ってもよい。例えば、提供装置１００は、移動を行う傾向にあるユーザの属性情報等を商業施設に伝達すること等により、商業施設の営業活動にとって有用な情報を提供することができる。
【０１９２】
また、提供部１３７は、条件を達成したユーザもしくはユーザが利用するユーザ端末１０に関する情報として、条件を達成したユーザの数、条件を達成するまでにユーザが移動した距離、条件を達成するまでにユーザが移動に費やした時間、又は、条件を達成するまでにユーザが移動した経路に関する情報の少なくとも一つを提供する。
【０１９３】
このように、実施形態に係る提供装置１００は、条件を達成したユーザの移動に関する情報を提供主に提供してもよい。これにより、提供装置１００は、商業施設等にとってコンテンツの配信がどのような効果をもたらしたかといった効果測定を行うことができる。
【０１９４】
また、提供部１３７は、条件を達成したユーザもしくはユーザが利用するユーザ端末１０に関する情報として、条件を達成するための移動においてユーザが移動を開始した出発地、ユーザの居住地、又は、ユーザの生活圏に関する情報の少なくとも一つを提供する。
【０１９５】
このように、実施形態に係る提供装置１００は、ユーザの移動の開始点に関する情報等を提供主に提供してもよい。すなわち、提供装置１００は、どのくらいの位置に所在するユーザであれば特典を求めて移動を行うか、あるいは、移動を行わないかといった結果情報を提供することができる。これにより、提供装置１００は、提供主の営業活動に有用な情報を提供することができる。
【０１９６】
また、配信部１３３は、予め設定された複数の目的地に関する条件が設定されたコンテンツを配信する。提供部１３７は、条件に設定された複数の目的地に関する条件が達成された場合に、コンテンツに対応付けられた特典をユーザに提供する。
【０１９７】
このように、実施形態に係る提供装置１００は、スタンプラリーのように複数の目的地を巡る条件が設定されたコンテンツを配信してもよい。これにより、提供装置１００は、より多くの移動をユーザに促すことができるため、よりユーザに移動を活発に行わせることができる。
【０１９８】
また、第１取得部１３１は、ユーザ情報として、ユーザのネットワーク上の購買履歴又は検索履歴を取得する。配信部１３３は、ユーザのネットワーク上の購買履歴又は検索履歴に基づいて決定されるコンテンツを配信する。
【０１９９】
このように、実施形態に係る提供装置１００は、ユーザのネットワーク上の行動履歴に基づいてコンテンツを配信するようにしてもよい。これにより、提供装置１００は、ユーザの興味関心に沿ったコンテンツを適切に配信することができるため、ユーザの興味を惹くような内容のコンテンツをユーザに提示し、ユーザが移動を行う動機付けを通常よりも高めさせることができる。
【０２００】
また、提供部１３７は、ユーザのネットワーク上の購買履歴又は検索履歴に基づいて、ユーザに提供する特典の内容を変更する。
【０２０１】
このように、実施形態に係る提供装置１００は、ユーザの興味関心や、ユーザがこれまでに購買した額等に応じて、特典の内容を変更してもよい。例えば、提供装置１００は、よく買い物を行うユーザには通常よりも多くの特典を付与することを提示することで、特典を得ようとするユーザの動機付けを高めることができる。
【０２０２】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０２０３】
また、上述してきた「部（section、module、unit）」は、「手段」や「回路」などに読み替えることができる。例えば、取得部は、取得手段や取得回路に読み替えることができる。
【符号の説明】
【０２０４】
１  提供システム
１０  ユーザ端末
２０  提供主端末
３０  ウェブサーバ
１００  提供装置
１１０  通信部
１２０  記憶部
１２１  ユーザ情報記憶部
１２２  コンテンツ記憶部
１２３  移動情報記憶部
１３０  制御部
１３１  第１取得部
１３２  決定部
１３３  配信部
１３４  受付部
１３５  第２取得部
１３６  判定部
１３７  提供部
【図１】
2018063526.tif 000003
【図２】
2018063526.tif 000004
【図３】
2018063526.tif 000005
【図４】
2018063526.tif 000006
【図５】
2018063526.tif 000007
【図６】
2018063526.tif 000008
【図７】
2018063526.tif 000009
【図８】
2018063526.tif 000010
【図９】
2018063526.tif 000011
【図１０】
2018063526.tif 000012
【図１１】
2018063526.tif 000013
【図１２】
2018063526.tif 000014
【図１３】
2018063526.tif 000015
【図１４】
2018063526.tif 000016
【図１５】
2018063526.tif 000017
【手続補正書】
【提出日】平成29年5月1日(2017.5.1)
【手続補正１】
【補正対象書類名】特許請求の範囲
【補正対象項目名】全文
【補正方法】変更
【補正の内容】
【特許請求の範囲】
【請求項１】
ユーザが利用する端末装置から、ユーザに関する情報であるユーザ情報を取得する取得部と、
前記ユーザ情報に基づいて決定されるコンテンツであって、予め設定された目的地へのユーザの移動に応じて当該ユーザに所定の特典が提供されるための条件が設定されたコンテンツを当該目的地まで所定の移動距離又は移動時間を要するユーザの端末装置に配信する配信部と、
前記配信部によって配信されたコンテンツに設定された条件が達成された場合に、前記コンテンツに対応付けられた特典を前記ユーザに提供する提供部と、
を備えたことを特徴とする提供装置。
【請求項２】
前記配信部は、
前記目的地と、当該目的地に到達するまでに前記ユーザが移動する移動距離とに関する条件が設定された前記コンテンツを配信する、
ことを特徴とする請求項１に記載の提供装置。 
【請求項３】
前記配信部は、
前記目的地と、当該目的地に到達するまでに前記ユーザが移動に費やす移動時間とに関する条件が設定された前記コンテンツを配信する、
ことを特徴とする請求項１又は２に記載の提供装置。
【請求項４】
前記配信部によって配信されたコンテンツに設定された条件を前記ユーザが達成したか否かを判定する判定部、
をさらに備え、
前記取得部は、
前記判定部が判定に用いる要素となる前記ユーザの移動に関する情報を取得し、
前記提供部は、
前記判定部によって前記条件が達成されたと判定された場合に、前記コンテンツに対応付けられた特典を前記ユーザに提供する、
ことを特徴とする請求項１〜３のいずれか一つに記載の提供装置。
【請求項５】
前記判定部は、
前記条件として設定された移動距離、位置情報、移動に費やす時間、移動完了時点の時間、又は移動が行われた経路の少なくともいずれか一つを判定要素として、当該条件を前記ユーザが達成したか否かを判定する、
ことを特徴とする請求項４に記載の提供装置。
【請求項６】
前記提供部は、
前記判定部によって判定された移動距離、位置情報、移動に費やす時間、移動完了時点の時間、又は移動が行われた経路の少なくともいずれか一つの要素に基づいて、前記ユーザに提供する特典の内容を変更する、
ことを特徴とする請求項５に記載の提供装置。
【請求項７】
前記配信部によって配信されたコンテンツに対応付けられた特典の提供を受けるための資格をユーザが得るためのエントリーを受け付ける受付部、
をさらに備え、
前記提供部は、
前記受付部によって受け付けられたエントリーに対応するコンテンツに設定された条件が達成された場合に、当該コンテンツに対応付けられた特典を前記ユーザに提供する、
ことを特徴とする請求項１〜６のいずれか一つに記載の提供装置。
【請求項８】
前記配信部は、
前記端末装置からアクセスを受け付けたウェブページを介して、前記コンテンツを当該端末装置に配信する、
ことを特徴とする請求項１〜７のいずれか一つに記載の提供装置。
【請求項９】
前記提供部は、
前記条件を達成したユーザもしくは当該ユーザが利用する端末装置に関する情報を前記コンテンツの提供主に提供する、
ことを特徴とする請求項１〜８のいずれか一つに記載の提供装置。
【請求項１０】
前記提供部は、
前記条件を達成したユーザもしくは当該ユーザが利用する端末装置に関する情報として、前記条件を達成したユーザの数、前記条件を達成するまでにユーザが移動した距離、前記条件を達成するまでにユーザが移動に費やした時間、又は、前記条件を達成するまでにユーザが移動した経路に関する情報の少なくとも一つを提供する、
ことを特徴とする請求項９に記載の提供装置。
【請求項１１】
前記提供部は、
前記条件を達成したユーザもしくは当該ユーザが利用する端末装置に関する情報として、前記条件を達成するための移動において当該ユーザが移動を開始した出発地、当該ユーザの居住地、又は、当該ユーザの生活圏に関する情報の少なくとも一つを提供する、
ことを特徴とする請求項９又は１０に記載の提供装置。
【請求項１２】
前記配信部は、
予め設定された複数の目的地に関する条件が設定された前記コンテンツを配信し、
前記提供部は、
前記条件に設定された複数の目的地に関する条件が達成された場合に、前記コンテンツに対応付けられた特典を前記ユーザに提供する、
ことを特徴とする請求項１〜１１のいずれか一つに記載の提供装置。
【請求項１３】
前記取得部は、
ユーザ情報として、前記ユーザのネットワーク上の購買履歴又は検索履歴を取得し、
前記配信部は、
前記ユーザのネットワーク上の購買履歴又は検索履歴に基づいて決定されるコンテンツを配信する、
ことを特徴とする請求項１〜１２のいずれか一つに記載の提供装置。
【請求項１４】
前記提供部は、
前記ユーザのネットワーク上の購買履歴又は検索履歴に基づいて、前記ユーザに提供する特典の内容を変更する、
ことを特徴とする請求項１３に記載の提供装置。
【請求項１５】
コンピュータが実行する提供方法であって、
ユーザが利用する端末装置から、ユーザに関する情報であるユーザ情報を取得する取得工程と、
前記ユーザ情報に基づいて決定されるコンテンツであって、予め設定された目的地へのユーザの移動に応じて当該ユーザに所定の特典が提供されるための条件が設定されたコンテンツを当該目的地まで所定の移動距離又は移動時間を要するユーザの端末装置に配信する配信工程と、
前記配信工程によって配信されたコンテンツに設定された条件が達成された場合に、前記コンテンツに対応付けられた特典を前記ユーザに提供する提供工程と、
を含んだことを特徴とする提供方法。
【請求項１６】
ユーザが利用する端末装置から、ユーザに関する情報であるユーザ情報を取得する取得手順と、
前記ユーザ情報に基づいて決定されるコンテンツであって、予め設定された目的地へのユーザの移動に応じて当該ユーザに所定の特典が提供されるための条件が設定されたコンテンツを当該目的地まで所定の移動距離又は移動時間を要するユーザの端末装置に配信する配信手順と、
前記配信手順によって配信されたコンテンツに設定された条件が達成された場合に、前記コンテンツに対応付けられた特典を前記ユーザに提供する提供手順と、
をコンピュータに実行させることを特徴とする提供プログラム。
【請求項１７】
ユーザが利用する端末装置から、ユーザに関する情報であるユーザ情報を取得する取得部と、
前記ユーザ情報に基づいて決定されるコンテンツであって、予め設定された目的地へのユーザの移動に応じて当該ユーザに所定の特典が提供されるための条件が設定されたコンテンツを当該目的地から所定の距離以上離れた場所に位置するユーザの端末装置に配信する配信部と、
前記配信部によって配信されたコンテンツに設定された条件が達成された場合に、前記コンテンツに対応付けられた特典を前記ユーザに提供する提供部と、
を備えたことを特徴とする提供装置。
【請求項１８】
コンピュータが実行する提供方法であって、
ユーザが利用する端末装置から、ユーザに関する情報であるユーザ情報を取得する取得工程と、
前記ユーザ情報に基づいて決定されるコンテンツであって、予め設定された目的地へのユーザの移動に応じて当該ユーザに所定の特典が提供されるための条件が設定されたコンテンツを当該目的地から所定の距離以上離れた場所に位置するユーザの端末装置に配信する配信工程と、
前記配信工程によって配信されたコンテンツに設定された条件が達成された場合に、前記コンテンツに対応付けられた特典を前記ユーザに提供する提供工程と、
を含んだことを特徴とする提供方法。
【請求項１９】
ユーザが利用する端末装置から、ユーザに関する情報であるユーザ情報を取得する取得手順と、
前記ユーザ情報に基づいて決定されるコンテンツであって、予め設定された目的地へのユーザの移動に応じて当該ユーザに所定の特典が提供されるための条件が設定されたコンテンツを当該目的地から所定の距離以上離れた場所に位置するユーザの端末装置に配信する配信手順と、
前記配信手順によって配信されたコンテンツに設定された条件が達成された場合に、前記コンテンツに対応付けられた特典を前記ユーザに提供する提供手順と、
をコンピュータに実行させることを特徴とする提供プログラム。
【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
ユーザが利用する端末装置から、ユーザに関する情報であるユーザ情報を取得する取得部と、
前記ユーザ情報に基づいて決定されるコンテンツであって、予め設定された目的地へのユーザの移動に応じて当該ユーザに所定の特典が提供されるための条件が設定されたコンテンツを、前記ユーザ情報に含まれるユーザ属性に関する属性情報に基づいて決定される移動距離又は移動時間であって、当該目的地まで移動距離又は移動時間を要するユーザの端末装置に配信する配信部と、
前記配信部によって配信されたコンテンツに設定された条件が達成された場合に、前記コンテンツに対応付けられた特典を前記ユーザに提供する提供部と、
を備えたことを特徴とする提供装置。
【請求項２】
前記配信部は、
前記目的地と、当該目的地に到達するまでに前記ユーザが移動する前記移動距離とに関する条件が設定された前記コンテンツを配信する、
ことを特徴とする請求項１に記載の提供装置。
【請求項３】
前記配信部は、
前記目的地と、当該目的地に到達するまでに前記ユーザが移動に費やす前記移動時間とに関する条件が設定された前記コンテンツを配信する、
ことを特徴とする請求項１又は２に記載の提供装置。
【請求項４】
前記配信部によって配信されたコンテンツに設定された条件を前記ユーザが達成したか否かを判定する判定部、
をさらに備え、
前記取得部は、
前記判定部が判定に用いる要素となる前記ユーザの移動に関する情報を取得し、
前記提供部は、
前記判定部によって前記条件が達成されたと判定された場合に、前記コンテンツに対応付けられた特典を前記ユーザに提供する、
ことを特徴とする請求項１〜３のいずれか一つに記載の提供装置。
【請求項５】
前記判定部は、
前記条件として設定された移動距離、位置情報、移動に費やす時間、移動完了時点の時間、又は移動が行われた経路の少なくともいずれか一つを判定要素として、当該条件を前記ユーザが達成したか否かを判定する、
ことを特徴とする請求項４に記載の提供装置。
【請求項６】
前記提供部は、
前記判定部によって判定された移動距離、位置情報、移動に費やす時間、移動完了時点の時間、又は移動が行われた経路の少なくともいずれか一つの要素に基づいて、前記ユーザに提供する特典の内容を変更する、
ことを特徴とする請求項５に記載の提供装置。
【請求項７】
前記配信部によって配信されたコンテンツに対応付けられた特典の提供を受けるための資格をユーザが得るためのエントリーを受け付ける受付部、
をさらに備え、
前記提供部は、
前記受付部によって受け付けられたエントリーに対応するコンテンツに設定された条件が達成された場合に、当該コンテンツに対応付けられた特典を前記ユーザに提供する、
ことを特徴とする請求項１〜６のいずれか一つに記載の提供装置。
【請求項８】
前記配信部は、
前記端末装置からアクセスを受け付けたウェブページを介して、前記コンテンツを当該端末装置に配信する、
ことを特徴とする請求項１〜７のいずれか一つに記載の提供装置。
【請求項９】
前記提供部は、
前記条件を達成したユーザもしくは当該ユーザが利用する端末装置に関する情報を前記コンテンツの提供主に提供する、
ことを特徴とする請求項１〜８のいずれか一つに記載の提供装置。
【請求項１０】
前記提供部は、
前記条件を達成したユーザもしくは当該ユーザが利用する端末装置に関する情報として、前記条件を達成したユーザの数、前記条件を達成するまでにユーザが移動した距離、前記条件を達成するまでにユーザが移動に費やした時間、又は、前記条件を達成するまでにユーザが移動した経路に関する情報の少なくとも一つを提供する、
ことを特徴とする請求項９に記載の提供装置。
【請求項１１】
前記提供部は、
前記条件を達成したユーザもしくは当該ユーザが利用する端末装置に関する情報として、前記条件を達成するための移動において当該ユーザが移動を開始した出発地、当該ユーザの居住地、又は、当該ユーザの生活圏に関する情報の少なくとも一つを提供する、
ことを特徴とする請求項９又は１０に記載の提供装置。
【請求項１２】
前記配信部は、
予め設定された複数の目的地に関する条件が設定された前記コンテンツを配信し、
前記提供部は、
前記条件に設定された複数の目的地に関する条件が達成された場合に、前記コンテンツに対応付けられた特典を前記ユーザに提供する、
ことを特徴とする請求項１〜１１のいずれか一つに記載の提供装置。
【請求項１３】
前記取得部は、
ユーザ情報として、前記ユーザのネットワーク上の購買履歴又は検索履歴を取得し、
前記配信部は、
前記ユーザのネットワーク上の購買履歴又は検索履歴に基づいて決定されるコンテンツを配信する、
ことを特徴とする請求項１〜１２のいずれか一つに記載の提供装置。
【請求項１４】
前記提供部は、
前記ユーザのネットワーク上の購買履歴又は検索履歴に基づいて、前記ユーザに提供する特典の内容を変更する、
ことを特徴とする請求項１３に記載の提供装置。
【請求項１５】
コンピュータが実行する提供方法であって、
ユーザが利用する端末装置から、ユーザに関する情報であるユーザ情報を取得する取得工程と、
前記ユーザ情報に基づいて決定されるコンテンツであって、予め設定された目的地へのユーザの移動に応じて当該ユーザに所定の特典が提供されるための条件が設定されたコンテンツを、前記ユーザ情報に含まれるユーザ属性に関する属性情報に基づいて決定される移動距離又は移動時間であって、当該目的地まで移動距離又は移動時間を要するユーザの端末装置に配信する配信工程と、
前記配信工程によって配信されたコンテンツに設定された条件が達成された場合に、前記コンテンツに対応付けられた特典を前記ユーザに提供する提供工程と、
を含んだことを特徴とする提供方法。
【請求項１６】
ユーザが利用する端末装置から、ユーザに関する情報であるユーザ情報を取得する取得手順と、
前記ユーザ情報に基づいて決定されるコンテンツであって、予め設定された目的地へのユーザの移動に応じて当該ユーザに所定の特典が提供されるための条件が設定されたコンテンツを、前記ユーザ情報に含まれるユーザ属性に関する属性情報に基づいて決定される移動距離又は移動時間であって、当該目的地まで移動距離又は移動時間を要するユーザの端末装置に配信する配信手順と、
前記配信手順によって配信されたコンテンツに設定された条件が達成された場合に、前記コンテンツに対応付けられた特典を前記ユーザに提供する提供手順と、
をコンピュータに実行させることを特徴とする提供プログラム。
【請求項１７】
ユーザが利用する端末装置から、ユーザに関する情報であるユーザ情報を取得する取得部と、
前記ユーザ情報に基づいて決定されるコンテンツであって、予め設定された目的地へのユーザの移動に応じて当該ユーザに所定の特典が提供されるための条件が設定されたコンテンツを、前記ユーザ情報に含まれるユーザ属性に関する属性情報に基づいて決定される所定の距離であって、当該目的地から所定の距離以上離れた場所に位置するユーザの端末装置に配信する配信部と、
前記配信部によって配信されたコンテンツに設定された条件が達成された場合に、前記コンテンツに対応付けられた特典を前記ユーザに提供する提供部と、
を備えたことを特徴とする提供装置。
【請求項１８】
コンピュータが実行する提供方法であって、
ユーザが利用する端末装置から、ユーザに関する情報であるユーザ情報を取得する取得工程と、
前記ユーザ情報に基づいて決定されるコンテンツであって、予め設定された目的地へのユーザの移動に応じて当該ユーザに所定の特典が提供されるための条件が設定されたコンテンツを、前記ユーザ情報に含まれるユーザ属性に関する属性情報に基づいて決定される所定の距離であって、当該目的地から所定の距離以上離れた場所に位置するユーザの端末装置に配信する配信工程と、
前記配信工程によって配信されたコンテンツに設定された条件が達成された場合に、前記コンテンツに対応付けられた特典を前記ユーザに提供する提供工程と、
を含んだことを特徴とする提供方法。
【請求項１９】
ユーザが利用する端末装置から、ユーザに関する情報であるユーザ情報を取得する取得手順と、
前記ユーザ情報に基づいて決定されるコンテンツであって、予め設定された目的地へのユーザの移動に応じて当該ユーザに所定の特典が提供されるための条件が設定されたコンテンツを、前記ユーザ情報に含まれるユーザ属性に関する属性情報に基づいて決定される所定の距離であって、当該目的地から所定の距離以上離れた場所に位置するユーザの端末装置に配信する配信手順と、
前記配信手順によって配信されたコンテンツに設定された条件が達成された場合に、前記コンテンツに対応付けられた特典を前記ユーザに提供する提供手順と、
をコンピュータに実行させることを特徴とする提供プログラム。